(57)【特許請求の範囲】
【請求項１】
天井裏面の所定の位置に配設可能な空調装置において、
天井パネルの所定の位置に開口された点検口から天井裏面の所定の位置に設置可能な１組の固定部付きの摺動案内部材と、
前記摺動案内部材に載置するための本体脚部を有した送風手段とを備え、
前記送風手段を天井裏面に設置する際に、
前記点検口から天井裏面側に挿入され前記摺動案内部材に載置された当該送風手段が、前記本体脚部が固定部に当接するまで前記摺動案内部材上を摺動され、
当接後、前記本体脚部が前記摺動案内部材の固定部に所定の係合部材で取り付けられて、
前記送風手段が天井表面に露出しないように固定されることを特徴とする空調装置。
【請求項２】
天井パネルの所定の位置に開口された吹出口及び吸込口に取付可能な空調装置において、
前記吹出口又は吸込口における前記天井パネルに天井裏面側から取り付ける枠部材と、
天井裏面側から前記枠部材上に載置されて空気を送風する送風部本体と、
天井表面側から前記枠部材を送風部本体に取り付けて固定する所定の係合部材と、
天井表面側から前記枠部材に取り付けて固定される吹出口又は吸込口用のパネル部材とを備え、
前記送風部本体には被係止部が設けられ、
前記パネル部材には被係止部が設けられ、
前記枠部材には天井裏面側で前記枠部材上に送風部本体を載置する際に前記送風部本体の被係止部に仮止めするための第１の係止部と、
前記枠部材にパネル部材を天井表面側から取り付ける際に前記パネル部材の被係止部に係合して固定するための第２の係止部とが設けられていることを特徴とする空調装置。
【請求項３】
天井裏面においてダクト部材により送風手段と接続されて前記吹出口上に天井裏面側から設置される吹出部本体と、
天井裏面においてダクト部材により送風手段と接続されて前記吸込口上に天井裏面側から設置される吸込部本体とを備え、
前記吹出部本体の下面形状よりも小さな開口形状である前記吹出口、及び、前記吸込部本体の下面の大きさより小さな開口面積である前記吸込口には、短手方向の長さが同じ長さに構成された長方形状の吹出口及び吸込口用のパネル部材が天井表面側から取り付けられることを特徴とする請求項２に記載の空調装置。
【請求項４】
天井パネルの所定の位置を開口して、点検口、吹出口及び吸込口を形成する工程と、
前記点検口を利用して送風手段を天井裏面に設置する工程と、
前記点検口を利用して天井裏面側から前記吹出口上に吹出部本体を設置する工程と、
前記点検口を利用して天井裏面側から前記吸込口上に吸込部本体を設置する工程と、
前記点検口を利用して前記送風手段、吹出部本体及び吸込部本体をダクト部材を介して接続する工程とを有し、
前記吹出口上に吹出部本体を設置する工程及び前記吸込口上に吸込部本体を取り付ける工程において、
天井表面側から天井パネルに取り付けて固定した枠部材の係止部に、前記天井裏面側から枠部材上に吹出部本体又は吸込部本体の被係止部を仮止めした後、前記天井表面側から所定の係合部材で前記枠部材を吹出部本体及び吸込部本体に取り付けて固定することを特徴とする空調装置の取付方法。
【請求項５】
前記枠部材に吹出口用及び吸込口用のパネル部材を取り付ける際に、
前記枠部材に設けられた係止部に前記パネル部材に設けられた被係止部を係合して固定すると共に、前記枠部材にカバー部材を係合して固定することを特徴とする請求項４に記載の空調装置の取付方法。
【請求項６】
前記送風手段を天井裏面に設置する際に、
天井パネルの所定の位置に開口された点検口から前記天井裏面の所定の位置に１組の固定部付きの摺動案内部材を設置し、
前記点検口から天井裏面側に前記送風手段を挿入して前記摺動案内部材に送風手段の本体脚部を載置し、
前記摺動案内部材に載置された当該送風手段が、前記本体脚部が固定部に当接するまで前記摺動案内部材上に送風手段を摺動し、
当接後、前記本体脚部を前記摺動案内部材の固定部に所定の係合部材で取り付けて当該送風手段が天井表面に露出しないように固定することを特徴とする請求項４に記載の空調装置の取付方法。
【請求項７】
天井裏面の所定の位置に配設可能な空調装置を備えた室において、
前記空調装置は、
天井パネルの所定の位置に開口された点検口から前記天井裏面の所定の位置に設置可能な１組の固定部付きの摺動案内部材と、
前記摺動案内部材に載置するための本体脚部を有した送風手段とを有し、
前記送風手段を天井裏面に設置する際に、
前記点検口から天井裏面側に挿入され前記摺動案内部材に載置された当該送風手段が、  前記本体脚部が固定部に当接するまで当該送風手段が前記摺動案内部材上を摺動され、
当接後、前記本体脚部が前記摺動案内部材の固定部に所定の係合部材で取り付けられて当該送風手段が天井表面に露出しないように固定されることを特徴とする室。
【発明の詳細な説明】
【技術分野】
【０００１】
本発明は、浴室や脱衣所等のサニタリー空間に設置され、これら空間の換気、乾燥及び暖房等を行う浴室換気乾燥暖房機に適用して好適な空調装置、その取付方法及びこれらを備えた室に関する。詳しくは、天井パネルの所定の位置に空調装置を取り付ける場合に、点検口を利用して送風装置本体や複数の吸込口ユニットや吹出口ユニット等を天井裏面側から設置し、更に、送風装置本体及び複数の吸込口ユニットや吹出口ユニットをダクト部材を介して接続するようにして、これらの空調部材を点検口から引き入れて天井裏面で容易に施工できるようにすると共に、組立式の浴室等において、当該空調装置を容易に設置できるようにした。
【背景技術】
【０００２】
従来より、浴室に温風を送出して暖房を行ったり、洗濯物の乾燥や換気を行う機能を備えた浴室用の空調装置が提供されている。このような浴室空調装置は、空気の吸込口や吹出口を有するフロントパネルが下面に備えられ、浴室の天井からフロントパネルが露出する形態で取り付けられる（例えば、特許文献１参照）。
【０００３】
【特許文献１】特開２００３−２９４２８９号公報
【発明の開示】
【発明が解決しようとする課題】
【０００４】
しかし、従来方式の浴室空調装置によれば、次のような問題がある。
【０００５】
ｉ．例えば、組立式の浴室ユニット（ユニットバス）に浴室換気装置等を取り付ける場合、本体サイズよりも一回り大きい、４１０×２８０ｍｍ程度の大きさの開口部を天井面に開け、その後、その開口部に装置本体の一部を落とし込む形態で設置し、装置本体の下から、その部分を覆うように、天井面に向けて４５０×３５０ｍｍ程度の大きさのフロントパネルを取り付けている。従って、フロントパネルのサイズが大きく、しかも、パネルが厚いことから、浴室の天井面を相当面積専有することになり、外観を損なうというおそれがあった。
【０００６】
ii．また、浴室換気装置等を浴室に取り付ける際に、天井裏側で空調機器を押える者、浴室内側の天井表面からビス止めする者等の複数の作業者が必要となる。特に、比較的大型の組立式の浴室ユニット等において、送風手段や複数の循環本体部等の空調機器を天井裏面に設置する場合に、枠部材とユニット部材のネジ孔の位置が一致せず、その位置合わせに時間を要することで、全体の組立時間を多く要したり、天井裏面での作業性が悪くなるおそれがある。
【０００７】
本発明は、このような課題を解決するためになされたもので、送風手段や複数の循環本体部を天井裏面で容易に施工できるようにすると共に、組立式の浴室等において、当該装置を容易に設置できるようにした空調装置、その取付方法及びこれらを応用した室を提供することを目的とする。
【課題を解決するための手段】
【０００８】
上述した課題を解決するため、本発明に係る第１の空調装置は、天井裏面の所定の位置に配設可能な空調装置において、天井パネルの所定の位置に開口された点検口から天井裏面の所定の位置に設置可能な１組の固定部付きの摺動案内部材と、摺動案内部材に載置するための本体脚部を有した送風手段とを備え、送風手段を天井裏面に設置する際に、点検口から天井裏面側に挿入され摺動案内部材に載置された本体脚部が固定部に当接するまで当該送風手段が摺動案内部材上を摺動され、当接後、本体脚部が摺動案内部材の固定部に所定の係合部材で取り付けられて、送風手段が天井表面に露出しないように固定されることを特徴とするものである。
【０００９】
本発明に係る第１の空調装置によれば、天井パネルの所定の位置に空調装置を取り付ける場合に、予め天井パネルの所定の位置に開口された点検口から天井裏面の所定の位置に１組の固定部付きの摺動案内部材を設置する。次に、送風手段を点検口から天井裏面側に挿入し、摺動案内部材に送風手段の本体脚部を載置し、更に、本体脚部が固定部に当接するまで摺動案内部材上に送風手段が摺動され、当接後、本体脚部を摺動案内部材の固定部に所定の係合部材で取り付けて当該送風手段が天井表面に露出しないように固定するようになされる。
【００１０】
従って、送風手段を点検口から引き入れて天井裏面で容易に施工できるようになる。これにより、組立式の浴室等において、当該空調装置を容易に設置できるようになる。
【００１１】
本発明に係る第２の空調装置は、天井パネルの所定の位置に開口された吹出口及び吸込口に取付可能な空調装置において、吹出口又は吸込口における天井パネルに天井表面側から取り付ける枠部材と、天井裏面側から枠部材上に載置されて空気を送風する送風部本体と、天井表面側から枠部材を送風部本体に取り付けて固定する所定の係合部材と、天井表面側から枠部材に取り付けて固定される吹出口用のパネル部材とを備え、前記送風部本体には被係止部が設けられ、前記パネル部材には被係止部が設けられ、前記枠部材には天井裏面側で前記枠部材上に送風部本体を載置する際に前記送風部本体の被係止部に仮止めするための第１の係止部と、前記枠部材にパネル部材を天井表面側から取り付ける際に前記パネル部材の被係止部に係合して固定するための第２の係止部とが設けられていることを特徴とするものである。
【００１２】
本発明に係る第２の空調装置によれば、天井パネルの所定の位置に開口された吹出口及び吸込口に送風部本体を取り付ける場合に、天井表面側から枠部材が天井パネルに取り付けられ、その後、天井裏面側から枠部材上に送風部本体が載置され、更に、天井表面側から所定の係合部材で枠部材を送風部本体に取り付けて固定され、更に、天井表面側から吹出口用のパネル部材が枠部材に取り付けて固定されるようになる。送風部本体には被係止部が設けられ、パネル部材には被係止部が設けられる。枠部材には第１及び第２の係止部が設けられる。送風部本体を枠部材に天井裏面側から取り付ける際に、第１の係止部で送風部本体の被係止部に仮止めするようになされ、第２の係止部で、パネル部材の被係止部に係合して固定するようになされる。従って、送風部本体を点検口から引き入れて天井裏面で容易に施工できるようになる。
【００１３】
本発明に係る空調装置の取付方法は、天井パネルの所定の位置を開口して、点検口、吹出口及び吸込口を形成する工程と、点検口を利用して送風手段を天井裏面に設置する工程と、点検口を利用して天井裏面側から吹出口上に吹出部本体を設置する工程と、点検口を利用して天井裏面側から吸込口上に吸込部本体を設置する工程と、点検口を利用して送風手段、第１及び第２の循環本体部をダクト部材を介して接続する工程とを有し、吹出口上に吹出部本体を設置する工程及び吸込口上に吸込部本体を取り付ける工程において、天井表面側から天井パネルに取り付けて固定した枠部材の係止部に、天井裏面側から枠部材上に吹出部本体又は吸込部本体の被係止部を仮止めした後、天井表面側から所定の係合部材で枠部材を吹出部本体及び吸込部本体に取り付けて固定することを特徴とするものである。
【００１４】
本発明に係る空調装置の取付方法によれば、天井パネルの所定の位置に、送風部本体や送風手段等を取り付ける場合に、全ての空調部材を点検口から施工できるようになる。従って、組立式の浴室等において、当該空調装置を容易に設置できるようになる。
【００１５】
本発明に係る室は、天井裏面の所定の位置に配設可能な空調装置を備えた室において、空調装置は、天井パネルの所定の位置に開口された点検口から天井裏面の所定の位置に設置可能な１組の固定部付きの摺動案内部材と、摺動案内部材に載置するための本体脚部を有した送風手段とを有し、送風手段を天井裏面に設置する際に、点検口から天井裏面側に挿入され摺動案内部材に載置された当該送風手段が、本体脚部が固定部に当接するまで当該送風手段が摺動案内部材上を摺動され、当接後、本体脚部が摺動案内部材の固定部に所定の係合部材で取り付けられて当該送風手段が天井表面に露出しないように固定されることを特徴とするものである。
【００１６】
本発明に係る室によれば、本発明に係る空調装置が応用されるので、全ての空調部材を点検口から施工できるようになる。従って、組立式の浴室等において、当該空調装置を容易に設置できるようになる。
【発明の効果】
【００１７】
本発明に係る第１の空調装置によれば、天井パネルの所定の位置に取付可能な送風手段を備え、予め天井パネルの所定の位置に開口された点検口から天井裏面の所定の位置に１組の固定部付きの摺動案内部材を設置する。次に、送風手段を点検口から天井裏面側に挿入する。当該送風手段は、本体脚部が固定部に当接するまで摺動案内部材上を摺動され、当接後、本体脚部が摺動案内部材の固定部に所定の係合部材で取り付けられて当該送風手段が天井表面に露出しないように固定されるものである。
【００１８】
この構成によって、送風手段を点検口から引き入れて天井裏面で容易に施工できるようになる。従って、組立式の浴室等において、当該空調装置を容易に設置できるようになる。
【００１９】
本発明に係る第２の空調装置によれば、天井パネルの所定の位置に開口された吹出口及び吸込口に取付可能な送風部本体及び、吹出口用のパネル部材を備え、当該送風部本体には被係止部が設けられ、パネル部材には被係止部が設けられ、枠部材には第１及び第２の係止部が設けられる。送風部本体を枠部材に天井裏面側から取り付ける際に、第１の係止部で送風部本体の被係止部に仮止めするようになされ、第２の係止部で、パネル部材の被係止部に係合して固定するようになされる。従って、送風部本体を点検口から引き入れて天井裏面で容易に施工できるようになる。
【００２０】
この構成によって、送風部本体を点検口から引き入れて天井裏面で容易に施工できるようになる。従って、組立式の浴室等において、当該空調装置を容易に設置できるようになる。
【００２１】
本発明に係る空調装置の取付方法によれば、天井パネルの所定の位置を開口して、点検口、吹出口及び吸込口を形成し、その後、点検口を利用して送風手段を天井裏面に設置し、更に、天井裏面側から吹出口上に吹出部本体を設置すると共に、吸込口上に吸込部本体を設置し、これらの空調部材をダクト部材を介して接続し、吹出口上に吹出部本体を設置する工程及び吸込口上に吸込部本体を取り付ける工程において、天井表面側から天井パネルに取り付けて固定した枠部材の係止部に、天井裏面側から枠部材上に吹出部本体又は吸込部本体の被係止部を仮止めした後、天井表面側から所定の係合部材で枠部材を吹出部本体及び吸込部本体に取り付けて固定するようになされる。
【００２２】
この構成によって、これらの空調部材を点検口から施工できるようになる。従って、組立式の浴室等において、当該空調装置を容易に設置できるようになる。また、室内の外観性を損なうことなく、空調装置を設置することができる。
【００２３】
本発明に係る室によれば、本発明に係る空調装置が応用されるので、全ての空調部材を点検口から施工できるようになる。この構成によって、組立式の浴室等において、当該空調装置を容易に設置できるようになる。
【発明を実施するための最良の形態】
【００２４】
以下、図面を参照して本発明の空調装置、その取付方法及びこれらを応用した室の実施の形態について説明する。
【実施例１】
【００２５】
図１は、本発明に係る各実施例としての浴室空調装置１００の構成例を示す上面図であり、浴室５１、脱衣所（洗面所）５２等の天井裏における空調部材の配置例を示している。
【００２６】
図１に示す浴室空調装置１００は本発明の空調装置を応用したものであり、浴室換気乾燥暖房機能を有している。浴室空調装置１００は、浴室５１や脱衣所５２等のサニタリー空間における換気、乾燥及び暖房等を行うものである。
【００２７】
浴室５１の天井パネル５２ａには点検口５５ａが設けられる。また、天井パネル５２ａには点検口５５ａの他に、第１の吸込口（吸込みグリル取付開口部）５４ａが設けられる。吸込口５４ａは、天井パネル５２ａの所定の位置を開口して形成するようになされる。吸込口５４ａは、作業性を良くするために、例えば、点検口５５ａから手の届く範囲に設けるとよい。吸込口５４ａ上には第１の吸込部本体の一例を構成する吸込口ユニット４ａが設置され、浴室内で吸気及び循環換気をするようになされる。吸込口ユニット４ａは浴室５１の空気を吸い込む循環・換気吸込グリル８ａを有している。循環・換気吸込グリル８ａは、吸込用のパネル部材の一例であり、長方形状を成している。
【００２８】
また、浴室５１に隣接する脱衣所５２の天井パネル５２ｂには、第２の吸込口（吸込みグリル取付開口部）５４ｂが設けられる。吸込口５４ｂは、脱衣所５２の天井パネル５２ｂの所定の位置を開口して形成するようになされる。例えば、吸込口５４ｂは、浴室５１及び脱衣所５２の境界部分（仕切部材）に沿って設けられる。吸込口５４ｂ上には第２の吸込部本体の一例を構成する吸込口ユニット４ｂが配置され、脱衣所内で吸気、循環換気等をするようになされる。吸込口ユニット４ｂは脱衣所５２の空気を吸い込む循環・換気吸込グリル８ｂを有している。循環・換気吸込グリル８ｂは、長方形状を成している。
【００２９】
通常、浴室５１と脱衣所５２との境界部分には、水切りを良くするために、図示しない浴室ドアで仕切られる。脱衣所５２の５２天井パネル５２ｂの所定の位置、この例では、上述の吸込口５４ｂの取付位置から延在する位置には、当該吸込口５４ｂに対して吹出口（吹出グリル取付開口部）５４ｃが連設されている。例えば、吹出口５４ｃは、脱衣所５２から浴室５１への出入口５７（図２参照）の上方の天井パネル５２ｂを開口して形成するようになされる。
【００３０】
上述の吹出口５４ｃには、吹出部本体の一例を構成する吹出口ユニット３が配置され、浴室ドアの開閉状態を伴って、浴室内及び脱衣所内に温風又は涼風を吹き出すように動作する。吹出口ユニット３は、脱衣所５２に空気を吹き出す吹出グリル７を有している。吹出グリル７は吹出用のパネル部材の一例であり、例えば、長方形状を成している。
【００３１】
この例で、浴室５１の天井裏面には、送風手段の一例となる送風装置本体２が設置され、空気を循環送風するように動作する。送風装置本体２が設置される位置には開口部が形成されておらず、送風装置本体２は、浴室５１内には露出しない形態を採る。送風装置本体２は、浴室５１の天井裏面に限られることはなく、脱衣所５２の天井裏面に設けてもよい。
【００３２】
この例で、送風装置本体２は、浴室５１及び脱衣所５２の天井パネル５２ａの裏面で、吸込口ユニット４ａ，４ｂと吸込みダクト（ダクト部材）６を介して接続されると共に、吹出口ユニット３と吹出ダクト（ダクト部材）５を介して接続される。この例で送風装置本体２の吸込口ユニット４ａ側には、開閉用の電動ダンパ５６が取り付けられ、本体内のダンパを開閉して気流の通過を制御するようになされる。
【００３３】
また、上述の吹出グリル７と循環・換気吸込グリル８ａ，８ｂのサイズは、それぞれ送風装置本体２の下面のサイズより小型に構成される。これは、点検口５５ａ及び５５ｂから天井裏面へ搬入できる最大の大きさが送風装置本体２の大きさに合わせてあるためである。更に、吹出グリル７と循環・換気吸込グリル８ａ，８ｂの縦方向（短手方向）の長さは同じ長さに構成される。そして、吹出グリル７と循環・換気吸込グリル８ａ，８ｂは、横方向（長手方向）に一列状に並ぶ配置となるように、吹出口ユニット３と吸込口ユニット４ｂの設置位置が設定される。
【００３４】
ここで、吹出口ユニット３の吹出グリル７及び吸込口ユニット４ｂの循環・換気吸込グリル８ｂの設置位置には、図示しないアルミニウム等の金属製又は樹脂製の枠部が取り付けられ、吹出グリル７及び循環・換気吸込グリル８ｂは、枠部に嵌め込まれる形態で取り付けられる。また、枠部の吹出グリル７及び循環・換気吸込グリル８ｂが設置されない箇所については、アルミニウム等の金属製又は樹脂製のカバー部材（図示せず）が取り付けられて、意匠性を損なわないように配置されている。
【００３５】
図２は、図１に示した浴室空調装置１００の空調部材の配置例をＡＡ方向から見た側面図である。図２に示す温風を吹き出す吹出グリル７には、風向切替手段の一例を構成する電動ルーバ部４７が取り付けられる。電動ルーバ部４７は、浴室５１又は脱衣所５２への温風及び涼風の吹出方向を選択する方向選択機能及び、浴室５１又は脱衣所５２への温風及び涼風の吹出方向を交互に選択するスイング機能を有している。
【００３６】
この例で、暖房運転モード時、浴室５１を暖房する場合は、浴室５１への出入口５７の図示しない浴室ドアを開けておくようになされる。電動ルーバ部４７は、浴室５１への温風の吹出方向を選択するようになされる。また、脱衣所（メインルーム）５２のみを暖房する場合は、上述の浴室ドアを閉めておくようになされる。電動ルーバ部４７は、脱衣所５２への温風の吹出方向を選択するようになされる。
【００３７】
更に、涼風運転モード時、浴室５１に涼風を吹き出す場合は、浴室５１への出入口５７の図示しない浴室ドアを開けておくようになされる。電動ルーバ部４７は、浴室５１への涼風吹出方向を選択するようになされる。また、脱衣所５２のみに涼風を吹き出す場合は、上述の浴室ドアを閉めておくようになされる。電動ルーバ部４７は、脱衣所５２への涼風吹出方向を選択するようになされる。
【００３８】
なお、暖房又は涼風運転でスイングモードを選択する場合は、浴室５１への出入口５７の図示しない浴室ドアを開けておくようになされる。電動ルーバ部４７は、浴室５１又は脱衣所５２への温風及び涼風の吹出方向を交互に選択するスイング機能を選択するようになされる。
【００３９】
この例で、吸込口ユニット４ａは、浴槽５１ｃの上方の天井パネル５２ａに取り付けられる。浴槽５１ｃの上方の湿った空気を換気し易くするためである。また、送風装置本体２の吸込口ユニット４ａの側（吸込口）に取り付けられた電動ダンパ５６は、本体内のダンパを閉じて、脱衣所５２以外から空気を吸い込む機能を遮断するようになされる。これは、脱衣所５２のみで暖房運転モードや乾燥運転モードを実行する場合を考慮したためである。
【００４０】
また、吹出口ユニット３の内部には、図１０で示すような風路切替用の循環ダンパ２６が設けられると共に、換気ダクト２２が接続される。上述の送風装置本体２は、スイング涼風運転モード、浴室５１及び脱衣所５２の涼風運転モード時に、吸込口ユニット４ｂを通じて吸い込んだ脱衣所５２の空気の一部を吹出口ユニット３の循環ダンパ２６及び換気ダクト２２を通じて外部に排気するようになされる。
【００４１】
＜送風装置本体の構成例＞
図３は、第１の実施例に係る空調装置１０１としての送風装置本体２及びレール架台８０ａ，８０ｂの構成例を示す斜視図である。  
図３に示す第１の空調装置１０１は、送風装置本体２及び１組の固定部付きのレール架台８０ａ，８０ｂを有している。この例で、送風装置本体２は扁平した長方体形状を有している。上面は、設置場所が浴室５１や脱衣所５２等のサニタリー空間の天井裏面となることを考慮して、平坦状に仕上げられ、側面には吹出ダクト取付部１３、吸込ダクト取付部１５及びドレン４１が設けられている。ドレン４１は、送風装置本体２に溜まった水を排出する際に使用される。
【００４２】
底面には、本体脚部７１ａ〜７１ｄが設けられ、浴室５１や脱衣所５２等のサニタリー空間の天井裏面で、レール架台８０ａ，８０ｂに載置するようになされる。本体脚部７１ａ〜７１ｄは、装置本体底面の四隅に設けられる。本体脚部７１ａにはビス止め孔付きの係止部７２ａが取り付けられている。例えば、係止部７２ａはＬ字型の鉄製の部材を本体脚部７１ａに電気溶接して形成されている。ビス止め孔は、位置決め余裕を持たせるために長丸状に開口されている。他の本体脚部７１ｂ〜７１ｄについても同様に構成される。その説明は省略する。
【００４３】
また、レール架台８０ａ，８０ｂは、浴室５１や脱衣所５２等のサニタリー空間の天井裏面の所定の位置に配設（設置）可能な空調部材である。レール架台８０ａは固定部８１ａ、ガイドレール８２ａ、本体基板８３ａを有して構成される。
【００４４】
本体基板８３ａは、例えば、鉄製のアングル部材から構成され、所定の長さ及び厚みを有している。本体基板８３ａには、ほぼ同じ長さで厚みのガイドレール８２ａが例えば、所定の位置でビス止めされている。ガイドレール８２ａは、摺動面を有している。ガイドレール８２ａの一辺には、摺動面から垂直に立ち上がったエッジが設けられ、レールから外れないように送風装置本体２の本体脚部７１ａをガイドするようになされる。
【００４５】
また、本体基板８３ａには、固定部８１ａが取り付けられる。固定部８１ａは、ガイドレール８２ａとの間に所定の隙間を保持して本体基板８３ａ、８３ｂに固定される。この隙間は、当接時に、本体脚部７１ａの底部が固定部８１ａの下を通過するために設けてある。固定部８１ａは、例えば、鉄板を折曲げクランク状に折曲げ、更に、一端をコ字状に加工して形成されたものである。固定部８１ａには雌ネジが施され、本体脚部７１ａが固定部８１ａに当接された後に、本体脚部７１ａを固定部８１ａにネジ止め固定できるようになされている。
【００４６】
レール架台８０ｂは固定部８１ｂ、ガイドレール８２ｂ、本体基板８３ｂを有して構成される。レール架台８０ｂについては、レール架台８０ａと同様に構成されるので、その説明は省略する。
【００４７】
この例では、係合部材の一例となるネジ９１ａ〜９１ｄが準備される。そして、送風装置本体２を天井裏面に設置する際に、送風装置本体２をレール架台８０ａ、８０ｂ上に位置合わせした後に、本体脚部７１ａ〜７１ｄがレール架台８０ａ、８０ｂ上に載置される。その後、本体脚部７１ａ〜７１ｄが各々の固定部８１ａ〜８１ｄに当接するまで当該送風装置本体２がレール架台８０ａ，８０ｂ上を摺動される。当接後、各々の本体脚部７１ａ〜７１ｄを固定部８１ａ，８１ｂに取り付ける。例えば、ネジ９１ａで本体脚部７１ａを固定部８１ａに取り付ける。他の本体脚部７１ｂ〜７１ｄについても、ネジ９１ｂ〜９１ｄで固定部８１ｂ〜８１ｄに固定される（第１の空調装置）。
【００４８】
図４Ａ及びＢは、送風装置本体２の内部構成例及びその機能例を示す断面図である。図４Ａに示す送風装置本体２は、モータ９、ファン１０、ファンケース１１及び本体ケースを有して構成される。
【００４９】
ファンモータ９は、ファンケース１１に取り付けられており、その回転軸にはファン１０が取り付けられる。ファンモータ９は、例えば、多翼の羽根車で構成されるファン１０の回転軸が鉛直方向となる向きで、ファンケース１１に取り付けられる。ファン１０は、モータ９が回転駆動すると、空気を吸い込んで吹き出すようになされる。ファンケース１１は、ファン１０により吸い込まれた空気を吹き出す風路を形成するものである。
【００５０】
ファンケース１１は、送風装置本体２の外形を構成する本体ケース１２に取り付けられ、ファン１０の軸方向に沿った下面を開口してファン吸込口１１ａが形成されると共に、ファン１０の接線方向に沿った空気の吹出方向にファン吹出口１１ｂが形成される。
【００５１】
図４Ｂに示す本体ケース１２は、扁平した直方体形状を有しており、ファン吹出口１１ｂと連通した一の側面に、図１又は図２に示した吹出ダクト５が取り付けられる吹出ダクト取付部１３を備える。また、本体ケース１２は、ファンケース１１の下部にファン吸込口１１ａと連通した吸込風路１４が形成され、吸込風路１４と連通した他の側面に、吸込ダクト６が取り付けられる吸込ダクト取付部１５を備える。ここで、図１では吸込ダクト取付部１５を対向する２側面に１個ずつ備えた例を説明しているが、吸込ダクト取付部１５の数は１個でも良いし、２個以上であってもよい。
【００５２】
なお、図４Ａに示した送風装置本体２は、ファンケース１１のファン吹出口１１ｂにイオン発生器１６を備えている。イオン発生器１６はイオン発生手段の一例で、ファンケース１１によって形成される吹出風路にイオン放出面が露出する。イオン発生器１６は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００５３】
これらＨ+（Ｈ2Ｏ）m及びＯ2-（Ｈ2Ｏ）nは、浮遊菌の表面に付着し、化学反応して活性種であるＨ2Ｏ2又は・ＯＨを生成する。Ｈ2Ｏ2又は・ＯＨは、極めて強力な活性を示すため、これらにより、空気中の浮遊細菌を取り囲んで除去することができる。ここで、・ＯＨは活性種の１種であり、ラジカルのＯＨを示している。
【００５４】
これにより、ファンモータ９の回転と連動させてイオン発生器１６で略同数の正イオンと負イオンを発生させることで、浴室５１に略同数の正イオンと負イオンを供給することで、空気中の浮遊細菌を除去して、カビの発生等を抑えることができる。
【００５５】
図５〜図８は、送風装置本体２の取付例（その１〜４）を示す組立工程図である。
【００５６】
この例で、浴室５１や脱衣所５２等のサニタリー空間の天井パネル５２ａの所定の位置に浴室空調装置１００を取り付ける場合に、まず、図５に示す１組の固定部８１ａ，８１ｂ付きのレール架台８０ａ，８０ｂを点検口５５ａ（図１参照）を利用して天井裏面に搬入する。その後、天井裏面の所定の位置にこれらのレール架台８０ａ，８０ｂを設置する。レール架台８０ａ，８０ｂは、天井裏面に接合（接着）する方法が採られる。もちろん、これに限られることはなく、例えば、組立式の浴室５１の場合に、当該浴室を組み立てる前の段階で、天井パネル５２ａの裏面所定位置の躯体金属部位に電気溶接で予め接合して固定しておいてもよい。
【００５７】
次に、図５に示す送風装置本体２を担ぎ上げ、点検口５５ａ（図１参照）を利用して天井裏面に搬入する。その後、天井裏面の所定の位置に取り付けられた１組の固定部８１ａ，８１ｂ付きのレール架台８０ａ，８０ｂに送風装置本体２を位置合わせをする。このとき、例えば、右側のレールガイド８２ａ上に本体脚部７１ａ，７１ｃが位置し、左側のレールガイド８２ｂ上に本体脚部７１ｂ，７１ｄが位置するように送風装置本体２の向きを調整する。また、天井裏で送風装置本体２が手元近くに有る場合に、吹出ダクト５や吸込ダクト５を所定の部位に取り付けておいてもよい。
【００５８】
次に、図６に示すレール架台８０ａ，８０ｂに送風装置本体２の本体脚部７１ａ〜７１ｄを載置する。このとき、右側のレールガイド８２ａ上に本体脚部７１ａ，７１ｃが設置され、左側のレールガイド８２ｂ上に本体脚部７１ｂ，７１ｄが設置される。また、レールガイド８２ａの手前に本体脚部７１ａが載るようにし、レールガイド８２ｂの手前に本体脚部７１ｂが載るようにする。
【００５９】
その後、図７に示す本体脚部７１ａ〜７１ｄが固定部８１ａ，８１ｂに当接するまでレール架台８０ａ，８０ｂ上に送風装置本体２を摺動する。このとき、送風装置本体２は左右均等な押圧力で押し出すようにするとよい。
【００６０】
当接後、本体脚部７１ａ〜７１ｄをレール架台８０ａ，８０ｂの固定部８１ａ〜８１ｄに所定のネジ９１ａ〜９１ｄで取り付けて当該送風装置本体２を固定する。ネジ９１ａ〜９１ｄには、ＳＵＳ製の鉄板ビスや丸ネジ、皿ネジ等が使用される。例えば、図８に示すネジ９１ａで本体脚部７１ａを固定部８１ａに取り付ける。他の本体脚部７１ｂ〜７１ｄについても、ネジ９１ｂ〜９１ｄで固定部８１ｂ〜８１ｄに固定される。これにより、送風装置本体２を天井裏面に設置することができる。
【００６１】
このように、第１の実施例としての空調装置１０１によれば、予め天井裏面の所定の位置に１組の固定部付きのレール架台８０ａ，８０ｂが設置される。次に、レール架台８０ａ，８０ｂに送風装置本体２の本体脚部７１ａ〜７１ｄを載置し、更に、本体脚部７１ａ、７１ｂが固定部８１ａ，８１ｂに当接するまでレール架台８０ａ，８０ｂ上に送風装置本体２が摺動され、当接後、本体脚部７１ａ、７１ｂをレール架台８０ａ，８０ｂの固定部８１ａ，８１ｂにネジ９１ａ，９１ｂで取り付けて当該送風装置本体２を固定するようになされる。
【００６２】
従って、送風装置本体２を点検口５５ａから引き入れて天井裏面で容易に施工できるようになる。これにより、組立式の浴室５１等において、当該空調装置１００を容易に設置できるようになる。
【実施例２】
【００６３】
図９は、第２の実施例としての空調装置１０２の組立例を示す斜視図である。図９に示す第２の空調装置１０２は、図１に示した浴室５１や脱衣所５２等のサニタリー空間の天井パネル５２ａの所定の位置に開口された吹出口５４ｃに取付可能な空調装置であって、吹出口ユニット３、吹出グリル７、吹出グリル取付部１９及び所定のネジ４５ａ〜４５ｄを備えて構成される。吹出口ユニット３は、吹出部本体の一例を構成し、天井裏面側から吹出グリル取付部１９上に載置されて温風又は涼風の吹き出して循環し、及び、換気する機能を有している。
【００６４】
吹出グリル７は吹出口用のパネル部材の一例を構成し、天井表面側から吹出グリル取付部１９に取り付けられて固定される。吹出グリル７は樹脂又は硬質ゴム部材から構成される。吹出グリル取付部１９は、第１の枠部材を構成し、吹出口５４ｃにおける天井パネル５２ａに取り付けられて固定される。吹出グリル取付部１９は、金属製又は硬質樹脂から構成される。ネジ４５ａ〜４５ｄは、天井表面側から吹出グリル取付部１９を吹出口ユニット３に取り付けて固定する際に使用される。ネジ４５ａ〜４５ｄは、係合部材の一例を構成し、防錆性の金属で所定の長さを有している。ネジ４５ａ〜４５ｄには、ＳＵＳ製の鉄板ビスや丸ネジ、皿ネジ等が使用される。
【００６５】
図９に示した第２の空調装置は、吹出口５４ｃ上に吹出口ユニット３を取り付ける際に、図１に示した吹出口５４ｃにおいて、天井表面側から吹出グリル取付部１９を天井パネル５２ａに取り付けて固定する。
【００６６】
次に、天井裏面側から吹出グリル取付部１９上に吹出口ユニット３を載置する。更に、天井表面側から所定のネジ４５ａ〜４５ｄで吹出グリル取付部１９を吹出口ユニット３に取り付けて固定する。その後、天井表面側から吹出グリル７を吹出グリル取付部１９に取り付けて固定する。
【００６７】
この例では、天井裏面側で吹出グリル取付部１９上に吹出口ユニット３を載置する際に、吹出口ユニット３に設けられた被係止部の一例となる爪部４３ａ，４３ｂを吹出グリル取付部１９に設けられた係止部４４ａ，４４ｂに仮止めする。また、吹出グリル７を吹出グリル取付部１９に取り付ける際に、吹出グリル取付部１９に設けられた図示しない係止部に、吹出グリル７に設けられた図示しない爪部を係合して固定する。これにより、浴室空調装置１００において、吹出口５４ｃ上に吹出口ユニット３を取り付けることができる。
【００６８】
＜吹出口ユニットの内部構成例＞
図１０〜図１２は、吹出口ユニット３の内部構成例を示す断面図である。図１０は、吹出口ユニット３の構成例（循環位置）を示す断面図である。図１０に示す吹出口ユニット３は、送風装置本体２から吹き出す空気の風路が形成される吹出口ケース１７に、吹出ダクト取付部１８と吹出グリル取付部１９とが設けられて構成される。
【００６９】
吹出口ユニット３は、空気を吸い込む循環・換気吸込口２０が吹出口ケース１７の一の側面に形成され、循環・換気吸込口２０と連通して吹出ダクト取付部１８が取り付けられる。吹出ダクト取付部１８は図１又は図２に示した吹出ダクト５に接続される。吹出口ケース１７の下方には、吹出グリル取付部１９が設けられる。吹出グリル取付部１９には吹出グリル７が取り付けられる。
【００７０】
また、吹出口ユニット３は、空気を吹き出す換気排気口２１が、循環・換気吸込口２０と対向して吹出口ケース１７の他の側面に形成され、換気排気口２１と連通して、排気ダクト２２が接続される排気ダクト取付部２３が取り付けられる。
【００７１】
更に、吹出口ユニット３は、空気を吹き出す循環吹出口２４が吹出口ケース１７の下部に形成され、循環吹出口２４に吹出グリル取付部１９が取り付けられると共に、循環吹出口２４にヒータ２５を備えている。ヒータ２５は加熱手段の一例で、例えばＰＴＣヒータ等で構成され、ヒータ２５に通電されると、循環吹出口２４を通る空気が加熱され、吹出グリル取付部１９に取り付けられた吹出グリル７から温風が吹き出す。
【００７２】
吹出口ユニット３は、吹出口ケース１７内に形成される風路を切り替える循環ダンパ２６を備えている。循環ダンパ２６は風路切替手段の一例で、ダンパモータ２７及び歯車２７ａによって軸２６ａを支点に回転する。歯車２７ａは、循環ダンパ２６とダンパモータ２７との間に設けられる。ダンパモータ２７には、ステッピングモータが使用される。そして、吹出口ケース１７内には、循環ダンパ２６の位置によって、循環・換気吸込口２０から循環吹出口２４へ連通した循環風路２８ａか、循環・換気吸込口２０から換気排気口２１へ連通した排気風路２８ｂが形成される。
【００７３】
すなわち、図１０に示す循環ダンパ２６が跳ね上がって排気風路２８ｂを塞ぐ全閉位置にあると、換気排気口２１への風路が遮蔽され、循環・換気吸込口２０から循環吹出口２４へ連通した循環風路２８ａが形成される。この循環ダンパ２６の全閉となる位置を循環位置と称す。
【００７４】
これに対して、図１１に示す循環ダンパ２６が降下して排気風路２８ｂを開ける全開位置にあると、循環吹出口２４への風路が遮蔽され、循環・換気吸込口２０から換気排気口２１へ連通した排気風路２８ｂが形成される。この循環ダンパ２６が全開となる位置を換気位置と称す。
【００７５】
更に、循環ダンパ２６が図１１に二点鎖線で示す循環位置と換気位置の中間位置にあると、循環・換気吸込口２０から循環吹出口２４へ連通した循環風路２８ａと、循環・換気吸込口２０から換気排気口２１へ連通した排気風路２８ｂの双方が形成される。この循環ダンパ２６の中間位置を循環換気位置と称す。この例では、循環換気位置で２４時間換気運転を実行する。循環ダンパ２６の中間位置で静止させるために、ダンパモータ２７がステッピングパルス制御が実行される。例えば、循環ダンパ２６の閉状態から所定の開度にするためのパルス数がダンパモータ２７に出力される。ダンパモータ２７が指定されたパルス数だけ回転することで、循環ダンパ２６が中間位置となり、所定の開度（例えば、４５°）に姿勢を変えるようになされる。
【００７６】
この例で、図１０及び図１１に示す循環吹出口２４には電動ルーバ部４７が取り付けられ、温風又は涼風の吹出方向を選択する方向選択機能及び、温風又は涼風の吹出方向を交互に選択するスイング機能を有している（第２の空調装置）。
【００７７】
［電動ルーバ部］
図１２Ａ〜Ｃは、吹出口ユニット３の電動ルーバ部４７の構成例及び動作例を示す図である。  
図１２Ａに示す電動ルーバ部４７は、複数枚の整流板４８と、各整流板４８の向きを変えるルーバモータ４９と、各整流板４８に駆動力を伝達するリンク機構５０を有している。
【００７８】
各整流板４８は、軸４８ａを支点に回転自在に支持され、１枚の整流板４８の軸４８ａにルーバモータ４９の軸が連結されている。ルーバモータ４９はステッピングモータで構成され、整流板４８の往復回転動作が可能である。各整流板４８には、リンク機構５０を構成するリンクレバー５０ａが取り付けられ、各リンクレバー５０ａがリンクロッド５０ｂで連結される。
【００７９】
この例で、ルーバモータ４９が矢印ａ方向に回転駆動されると、ルーバモータ４９と連結された整流板４８が軸４８ａを支点に矢印ａ方向に回転すると共に、各整流板４８がリンクレバー５０ａ及びリンクロッド５０ｂで連結されているので、各整流板４８が軸４８ａを支点に矢印ａ方向に回転する。これにより、各整流板４８は、図１２Ｂに示すように一の方向、例えば、図１に示した脱衣所５２の方向に姿勢を変えるようになされる。
【００８０】
これに対して、ルーバモータ４９が矢印ｂ方向に回転駆動されると、ルーバモータ４９と連結された整流板４８が軸４８ａを支点に矢印ｂ方向に回転すると共に、各整流板４８が軸４８ａを支点に矢印ｂ方向に回転する。これにより、各整流板４８は、図１２Ｃに示すように他の方向、例えば、図１に示した浴室５１の方向に姿勢を変えるようになされる。
【００８１】
このように、第２の実施例としての空調装置１０２によれば、浴室５１や脱衣所５２等のサニタリー空間の天井パネル５２ａの所定の位置に開口された吹出口５４ｃに吹出口ユニット３を取り付ける場合に、当該吹出口ユニット３は、天井表面側から吹出グリル取付部１９が天井パネル５２ａに取り付けて固定され、その後、天井裏面側から吹出グリル取付部１９上に吹出口ユニット３が載置され、更に、天井表面側から所定のネジ４５ａ〜４５ｄで吹出グリル取付部１９を吹出口ユニット３に取り付けて固定され、更に、天井表面側から吹出グリル７が吹出グリル取付部１９に取り付けて固定されるようになる。
【００８２】
従って、吹出口ユニット３を点検口５５ｂから引き入れて天井裏面で容易に施工できるようになる。これにより、組立式の浴室システム等において、当該空調装置を容易に設置できるようになる。
【実施例３】
【００８３】
図１３は、第３の実施例としての空調装置１０３の組立例を示す斜視図である。なお、吸込口ユニット４ｂについては、吸込口ユニット４ａと、その構成及び機能が同じであるので、その説明を省略する。
【００８４】
図１３に示す第３の空調装置１０３は、浴室５１や脱衣所５２等のサニタリー空間の天井パネル５２ａの所定の位置に開口された吸込口５４ａに取付可能な空調装置であって、吸込口ユニット４ａ、所定のネジ３９ａ〜３９ｄ、循環換気吸込グリル８ａ，８ｂ及び吸込グリル取付部３０を備えて構成される。
【００８５】
吸込グリル取付部３０は、第２の枠部材を構成し、吸込口５４ａにおける天井パネル５２ａに取り付けられて固定される。吸込グリル取付部３０は、金属製又は硬質樹脂から構成される。吸込口ユニット４ａは第１の吸込部本体の一例を構成し、天井裏面側から吸込グリル取付部３０上に載置されて空気を吸い込んで循環するように機能する。
【００８６】
所定のネジ３９ａ〜３９ｄは、天井表面側から吸込グリル取付部３０を吸込口ユニット４ａに取り付けて固定する際に使用される。ネジ３９ａ〜３９ｄは係合部材の一例を構成し、防錆性の金属で所定の長さを有している。例えば、ＳＵＳ製の鉄板ビスや、丸ネジ、皿ネジ等が使用される。循環換気吸込グリル８ａは吸込口用のパネル部材の一例を構成し、天井表面側から吸込グリル取付部３０に取り付けて固定される。
【００８７】
図１３に示す吸込口ユニット４ａのチャンバー２９には爪部２９ａ、２９ｂが設けられ、吸込グリル取付部３０には係止部３０ａ，３０ａが設けられ、天井裏面側で吸込グリル取付部３０上に吸込口ユニット４ａを載置する際に、吸込口ユニット４ａの爪部２９ａ，２９Ｂを吸込グリル取付部３０の係止部３０ａ，３０ａに仮止めされる。
【００８８】
この例で、吸込グリル取付部３０には係止部３０ｂ，３０ｂが設けられ、循環換気吸込グリル８ａには爪部８ｃ，８ｄが設けられ、吸込グリル取付部３０に循環換気吸込グリル８ａを取り付ける際に、吸込グリル取付部３０の係止部３０ｂ，３０ｂに環換気吸込グリル８ａの爪部８ｃ，８ｄを係合して固定される。
【００８９】
＜吸込口ユニットの構成例＞
図１４Ａ及びＢは、吸込口ユニット４ａ等の内部構成例を示す断面図である。図１４Ａに示す吸込口ユニット４ａは、循環・換気吸込グリル８ａ、半円ドーム状のチャンバー２９及び吸込グリル取付部３０を有して構成される。
【００９０】
吸込グリル取付部３０は枠部材の一例を構成し、防錆性の金属又は耐候性のよい樹脂から構成される。吸込グリル取付部３０の両側上部には、例えば、凹状の係止部３０ａ，３０ａが設けられる。吸込グリル取付部３０は天井パネル５２ａに開口された吸込口５４ａに取付られる。また、吸込グリル取付部３０の両側下部には、例えば、凹状の係止部３０ｂ，３０ｂが設けられる。
【００９１】
吸込グリル取付部３０の上方には、チャンバー２９が取り付けられる。チャンバー２９は防錆性の金属又は耐候性のよい樹脂から構成される。チャンバー２９の両側には爪部２９ａ，２９ａが設けられ、吸込グリル取付部３０の両側の凹状の係止部３０ｂ，３０ｂに嵌合するようになされる。チャンバー２９の上部側面には、排気口２９ｂが設けられ、図１及び図２に示した吸込ダクト６に接続される。
【００９２】
この例で、天井裏面側で吸込グリル取付部３０上にチャンバー２９を設置する際に、チャンバー２９の爪部２９ａ，２９ａを吸込グリル取付部３０の係止部３０ａ，３０ａに仮止めされる。この状態で浴室内から所定のネジ３９ａ〜３９ｄで吸込グリル取付部３０とチャンバー２９とがビス止めして固定される。
【００９３】
図１４Ｂに示す循環・換気吸込グリル８ａは吸込用のパネル部材の一例を構成し、浴室内側から吸込グリル取付部３０に取り付けるようになされる。循環・換気吸込グリル８ａは、チャンバー２９を介して吸込ダクト６と連通される。この例で、循環・換気吸込グリル８ａの両側上面には、図１４Ａに示すように爪部８ｃ，８ｃが設けられる。吸込グリル取付部３０に循環・換気吸込グリル８ａを取り付ける際に、吸込グリル取付部３０の係止部３０ｂ，３０ｂに循環・換気吸込グリル８ａの爪部８ｃ，８ｃを嵌合して固定される。これにより、浴室内から天井パネル面を見たとき、循環・換気吸込グリル８ａの平坦な化粧面のみが露出するようになり、見た目すっきりした形態となる（図１４Ａ及びＢ参照）。
【００９４】
このように第３の実施例としての空調装置１０３によれば、浴室５１や脱衣所５２等のサニタリー空間の天井パネル５２ａの所定の位置に開口された吸込口５４ａ，５４ｂに吸込口ユニット４ａ，４ｂを取り付ける場合に、当該吸込口ユニット４ａ，４ｂは、天井表面側から吸込グリル取付部３０が天井パネル５２ａに取り付けて固定され、その後、天井裏面側から吸込グリル取付部３０上に吸込口ユニット４ａ，４ｂが載置され、更に、天井表面側から所定のネジ３９ａ〜３９ｄで吸込グリル取付部３０を吸込口ユニット４ａ，４ｂに取り付けて固定され、更に、天井表面側から循環換気吸込グリル８ａ，８ｂが吸込グリル取付部３０に取り付けて固定されるようになる。
【００９５】
従って、吸込口ユニット４ａ，４ｂを点検口５５ａや５５ｂから引き入れて天井裏面で容易に施工できるようになる。これにより、組立式の浴室システム等において、当該空調装置を容易に設置できるようになる。
【００９６】
続いて、本発明に係る浴室空調装置１００の取付方法について説明する。図１５は、浴室空調装置１００の取付例を示すフローチャートである。この実施例では、第１〜第３の空調装置１０１〜１０３を使用する場合を前提とする。
【００９７】
これを組立条件にして、まず、図１５に示すフローチャートのステップＳＴ１で浴室５１や脱衣所５２等のサニタリー空間の天井パネル５２ａの所定の位置を開口して、点検口５５ａ、５５ｂ、吸込口５４ａ，５４ｂ及び吹出口５４ｃを形成する。点検口５５ａの大きさは、送風装置本体２が搬入できる大きさとなされる。また、吹出口５４ｃ及び吸込口５４ａ，５４ｂを形成する際に、吸込口ユニット４ａ，４ｂの下面形状よりも小さな開口形状の吹出口５４ｃを開口し、吸込口ユニット４ａ，４ｂの下面形状の大きさより小さな開口形状の吸込口５４ａ，５４ｂを形成する。更に、吹出グリル７と循環・換気吸込グリル８ｂとが一列に並ぶように、天井パネル５２ａを開口して吸込口５４ｂ及び吹出口５４ｃを形成する。
【００９８】
次に、ステップＳＴ２で点検口５５ａを利用して送風装置本体２を天井裏面に設置する。このとき、送風装置本体２を設置する位置には、開口部が形成されておらず、送風装置本体２を浴室５１内に露出しない形態が採られる。
【００９９】
例えば、送風装置本体２を天井裏面に設置する場合に、まず、図５に示す１組の固定部８１ａ，８１ｂ付きのレール架台８０ａ，８０ｂを点検口５５ａ（図１参照）を利用して天井裏面に搬入する。その後、天井裏面の所定の位置にこれらのレール架台８０ａ，８０ｂを設置する。レール架台８０ａ，８０ｂは、天井裏面に接合（接着）する方法が採られる。もちろん、これに限られることはなく、例えば、組立式の浴室５１の場合に、当該浴室を組み立てる前の段階で、天井パネル５２ａの裏面所定位置の躯体金属部位に電気溶接で予め接合して固定しておいてもよい。
【０１００】
例えば、図５に示したように、送風装置本体２を担ぎ上げ、図１に示した点検口５５ａを利用して天井裏面に搬入する。その後、天井裏面の所定の位置に取り付けられた１組の固定部８１ａ，８１ｂ付きのレール架台８０ａ，８０ｂに送風装置本体２を位置合わせをする。このとき、右側のレールガイド８２ａ上に本体脚部７１ａ，７１ｃが位置し、左側のレールガイド８２ｂ上に本体脚部７１ｂ，７１ｄが位置するように送風装置本体２の向きを調整する。また、天井裏で送風装置本体２が手元近くに有る場合に、吹出ダクト５や吸込ダクト５を所定の部位に取り付けておいてもよい。
【０１０１】
次に、図６に示したレール架台８０ａ，８０ｂに送風装置本体２の本体脚部７１ａ〜７１ｄを載置する。このとき、右側のレールガイド８２ａ上に本体脚部７１ａ，７１ｃが設置され、左側のレールガイド８２ｂ上に本体脚部７１ｂ，７１ｄが設置される。また、レールガイド８２ａの手前に本体脚部７１ａが載るようにし、レールガイド８２ｂの手前に本体脚部７１ｂが載るようにする。
【０１０２】
その後、図７に示した本体脚部７１ａ〜７１ｄが固定部８１ａ，８１ｂに当接するまでレール架台８０ａ，８０ｂ上に送風装置本体２を摺動する。このとき、送風装置本体２は左右均等な押圧力で押し出すようにするとよい。当接後、本体脚部７１ａ〜７１ｄをレール架台８０ａ，８０ｂの固定部８１ａ〜８１ｄに所定のネジ９１ａ〜９１ｄで取り付けて当該送風装置本体２を固定する。
【０１０３】
例えば、図８に示したように、ネジ９１ａで本体脚部７１ａを固定部８１ａに取り付ける。他の本体脚部７１ｂ〜７１ｄについても、ネジ９１ｂ〜９１ｄで固定部８１ｂ〜８１ｄに固定される。これにより、送風装置本体２を天井裏面に設置することができる。この例では、送風装置本体２の吸込口ユニット４ａ側には、電動ダンパ５６が取り付けられ、本体内のダンパを開閉して気流の通過を制御するようになされる。
【０１０４】
更に、ステップＳＴ３で点検口５５ａや５５ｂ等を利用して天井裏面側から吹出口５４ｃ上に吹出口ユニット３を設置する。例えば、天井パネル５２ａの吹出口５４ｃに、吹出グリル取付部１９を取り付ける。次に、天井裏面で吹出グリル取付部１９上に吹出口ユニット３を設置し、脱衣所内側から吹出グリル取付部１９に吹出グリル７を取り付ける。
【０１０５】
次に、ステップＳＴ４で点検口５５ａや５５ｂ等を利用して天井裏面側から吸込口５４ａ上に吸込口ユニット４ａを設置すると共に、吸込口５４ｂ上に吸込口ユニット４ｂを設置する。例えば、図１３で説明した吸込口５４ａに吸込グリル取付部３０を取り付ける。更に、浴室５１の天井裏面側から当該吸込口５４ａ上に吸込口ユニット４ａを設置する。この際に、吸込口５４ａにおいて、天井表面側から吸込グリル取付部３０を天井パネル５２ａに取り付けて固定し、天井裏面側から吸込グリル取付部３０上に吸込口ユニット４ａを載置し、天井表面側から所定のネジ３９ａ〜３９ｄで吸込グリル取付部３０を吸込口ユニット４ａに取り付けて固定し、天井表面側から循環・換気吸込グリル（吸込口用のパネル部材）を吸込グリル取付部３０に取り付けて固定する。
【０１０６】
このとき、天井裏面側で吸込グリル取付部３０上にチャンバー２９を設置する際に、チャンバー２９の爪部２９ａ，２９ａを吸込グリル取付部３０の係止部３０ａ，３０ａに係合して仮止めする。この状態で浴室内から所定のネジ３９ａ〜３９ｄで吸込グリル取付部３０とチャンバー２９とをネジ止めして固定する。その後、吸込グリル取付部３０の係止部３０ｂ，３０ｂに循環・換気吸込グリル８ａの爪部８ｃ，８ｃを嵌合（係合）する。これにより、循環・換気吸込グリル８ａを吸込グリル取付部３０に固定するようになされる。
【０１０７】
また、脱衣所５２の天井裏面側からその点検口５５ｂを利用して当該脱衣所５２の吸込口５４ｂ上に吸込口ユニット４ｂを設置する。天井裏面側で吸込グリル取付部３０上にチャンバー２９を設置する際に、チャンバー２９の爪部２９ａ，２９ａを吸込グリル取付部３０の係止部３０ａ，３０ａに係合して仮止めされる。この状態で脱衣所内から所定のネジ３９ａ〜３９ｄで吸込グリル取付部３０とチャンバー２９とがネジ止めして固定される。その後、吸込グリル取付部３０の係止部３０ｂ，３０ｂに循環・換気吸込グリル８ｂの爪部８ｃ，８ｄ（図示せず）を嵌合される、これにより、循環・換気吸込グリル８ｂが吸込グリル取付部３０に固定される。もちろん、これに限られることはない。
【０１０８】
その後、ステップＳＴ５で点検口５５ａや５５ｂ等を利用して、浴室５１の天井裏面の送風装置本体２と、その天井裏面の吸込口ユニット４ａとを接続すると共に、脱衣所５２の天井裏面の吸込口ユニット４ｂ及び吹出口ユニット３と送風装置本体２とを接続する。
【０１０９】
例えば、送風装置本体２の吸込ダクト取付部１５に吸込ダクト６の一端側が接続され、吸込口ユニット４ａのチャンバー２９に吸込ダクト６の他端側が接続されることで、送風装置本体２と吸込口ユニット４ａとが吸込ダクト６を介して接続される。同様にして、送風装置本体２と吸込口ユニット４ｂとが吸込ダクト６を介して接続される。
【０１１０】
更に、送風装置本体２と吹出口ユニット３とを吹出ダクト５を介して接続する。例えば、送風装置本体２の吹出ダクト取付部１３に、吹出ダクト５の一端側が接続され、吹出口ユニット３では、吹出ダクト取付部１８に吹出ダクト５の他端側が接続されることで、送風装置本体２と吹出口ユニット３とが吹出ダクト５を介して接続される。また、吹出口ユニット３に排気ダクト２２を接続する。排気ダクト２２は、吹出口ユニット３の排気ダクト取付部２３に接続される。排気ダクト２２は、浴室５１や脱衣所５２が設置される、図示しない建物の排気口に接続され、屋外へ排気するようになされる。吹出ダクト５や吸込ダクト６には、アルミニウムを蛇腹状に加工したダクトが使用される。
【０１１１】
これにより、浴室空調装置１００が組立完了する。なお、吹出ダクト５、吸込ダクト６及び排気ダクト２２は、各ユニットを固定する前に、天井裏面で、各吸込口又は排気口に接続し、その接続を完了してから、各ユニットを各部に取り付け固定するようにしてもよい。また、各ユニットの設置形態としては、アンカーボルト等を使用して天井裏（上階の床下：コンクリートスラブ）に吊り下げる形態でも良い。
【０１１２】
この例では、吹出グリル７と循環・換気吸込グリル８ｂは一列に並んで配置される。更に、脱衣所５２の天井面で吹出グリル７及び循環・換気吸込グリル８ｂが設置されない箇所については、カバー部材が取り付けられて、天井パネル５２ｂに対して略同一面となるように構成される。
【０１１３】
このように、第１〜第３の空調装置１０１、１０２、１０３を応用した浴室空調装置１００の取付方法によれば、浴室５１や脱衣所５２等のサニタリー空間の天井パネル５２ａの所定の位置に、送風装置本体２、吹出口ユニット３、吸込口ユニット４ａ及び４ｂを取り付ける場合に、全ての空調部材を点検口５５ａや５５ｂ等から施工できるようになる。従って、組立式の浴室５１等において、当該浴室空調装置１００を容易に設置できるようになる。もちろん、浴室空調装置１００の取付（組立）順序は上述した順序に限定されるものではない。
【０１１４】
この実施例の浴室空調装置１００では、浴室５１及び脱衣所５２の二室を同時もしくは個別に暖房運転モード、涼風運転モード又は換気運転モードを設定して空調運転可能なシステムである。また、従来方式に比べて、厚みを薄くし、幅を狭くした循環・換気吸込グリル８ａが浴室５１に露出し、吹出グリル７及び循環・換気吸込グリル８ｂが脱衣所５２に天井表面に露出するだけである。従って、天井表面が見た目すっきり感を利用者に与えることができる。従来方式の中央暖房システムを適用する場合に比べて、空調システムの簡易化が図られ、運転コストの削減が図れる。
【実施例４】
【０１１５】
図１６は、第４の実施例としての浴室空調装置１００の制御系の一例を示す機能ブロック図である。図１６に示す浴室空調装置１００は、送風装置本体２及び吹出口ユニット３を制御する制御部６１を備える。制御部６１は制御手段の一例を構成し、ＣＰＵやメモリ等で構成される。制御部６１には、送風装置本体２を構成するファンモータ９及びイオン発生器１６が接続されると共に、吹出口ユニット３を構成するヒータ２５、ダンパモータ２７、人感センサ４６及びルーバモータ４９が接続される。
【０１１６】
制御部６１には設定手段の一例を構成する操作部６２が接続され、制御部６１に対して動作運転モードを設定するように操作される。制御部６１は、図示しないメモリ等に格納されたプログラムに従って、例えば暖房運転モード、涼風運転モード、乾燥運転モード及び換気運転モードを実行する。これら運転モードは、入浴者等の利用者が操作部６２を操作すること等により選択され、制御部６１は、選択された運転モードを実行するプログラムに従いファンモータ９、イオン発生器１６、ヒータ２５及びダンパモータ２７等を制御する。
【０１１７】
操作部６２は、浴室空調装置本体と独立したリモートコントロール装置で、例えば、浴室５１に隣接した図示しない洗面所の壁面等に取り付けられ、送風装置本体２等に実装される制御部６１とは例えば電気ケーブルで接続される。この例で、操作部６２には図示しない暖房ボタンと可動ルーバボタンとが配置される。これらの操作ボタンが押下されることで発生する操作信号Ｓ６２を制御部６１に出力される。
【０１１８】
制御部６１は、人感センサ４６からの入室検知信号Ｓ４６や操作部６２からの操作信号Ｓ６２に基づいて各種制御信号Ｓ９、Ｓ１６、Ｓ２５、Ｓ２７、Ｓ４９及びＳ５６を発生し、送風装置本体２及び吹出口ユニット３を制御する。例えば、制御部６１は送風装置本体２に対して、入室検知信号Ｓ４６や操作信号Ｓ６２等に基づいてモータ制御信号Ｓ９を発生し、モータ制御信号Ｓ９をファンモータ９に出力してファン制御を実行する。ファンモータ９は、モータ制御信号Ｓ９を入力してファン１０を駆動する。また、制御部６１は送風装置本体２に対して、操作信号Ｓ６２に基づくイオン制御信号Ｓ１６を発生し、イオン制御信号Ｓ１６をイオン発生器１６に出力してイオン発生制御を実行する。イオン発生器１６は、イオン制御信号Ｓ１６を入力してイオンを発生する。
【０１１９】
更に、制御部６１は吹出口ユニット３に対して、操作信号Ｓ６２に基づくヒータ制御信号Ｓ２５を発生し、ヒータ制御信号Ｓ２５をヒータ２５に出力してヒータ制御を実行する。ヒータ２５はヒータ制御信号Ｓ２５を入力してヒータを加熱する。また、制御部６１は操作信号Ｓ６２に基づくダンパ制御信号Ｓ２７を発生し、ダンパ制御信号Ｓ２７をダンパモータ２７に出力してダンパモータ制御を実行する。ダンパモータ２７は、ダンパ制御信号Ｓ２７を入力して循環ダンパ２６を駆動する。
【０１２０】
制御部６１は操作信号Ｓ６２に基づくルーバ制御信号Ｓ４９を発生し、ルーバ制御信号Ｓ４９をルーバモータ４９に出力してルーバモータ制御を実行する。ルーバモータ４９は、ルーバ制御信号Ｓ４９を入力して整流板４８を駆動する。制御部６１は操作信号Ｓ６２に基づくダンパ制御信号Ｓ５６を発生し、ダンパ制御信号Ｓ５６をダンパモータ５６’に出力してダンパ開閉制御を実行する。ダンパモータ５６’は、ダンパ制御信号Ｓ５６を入力してダンパを駆動する。これにより、暖房運転モード、涼風運転モード又は換気運転モードを設定して浴室５１及び脱衣所５２の二室を同時もしくは個別に空調運転を実行できるようになる。
【０１２１】
続いて、浴室空調装置１００の動作例について説明をする。図１７〜図２０は、各運転モード時の動作例を示す概念図である。この実施例では、浴室及び脱衣所等のサニタリー空間に当該空調装置を適用し、動作運転モードが暖房、涼風、乾燥及び換気の４つに分かれている。この例では、４つの場合に分けて説明をする。
【０１２２】
＜暖房運転モード＞
図１７Ａ〜Ｃは、浴室空調装置１００の暖房運転モード時の動作例を示す概念図である。暖房運転モードは更に、スイング、浴室及び脱衣所の３つの場合に分かれている。表１は３つの暖房運転モードをまとめたものである。
【０１２３】
【表１】
0004760291.tif 000002
暖房運転モードでは、吹出口ユニット３において循環ダンパ２６が循環位置にあるので、吹出口ケース１７内には、吹出ダクト５と接続された循環・換気吸込口２０から循環吹出口２４へと連通した循環風路２８ａが形成される。
【０１２４】
［スイング暖房運転モード］
この例では、図１７Ａに示す浴室５１の出入口のドア（戸）５８は開放される。これを前提にして、図１６に示した操作部６２によってスイング暖房運転モードが設定されると、送風装置本体２は、吸込口ユニット４ａを通じて浴室５１の空気IIを吸い込むと共に、吸込口ユニット４ｂを通じて脱衣所５２の空気IIを吸い込んで、吹出口ユニット３のスイング機能を利用して浴室５１及び脱衣所５２に交互に温風Ｉを吹き出すようになされる。
【０１２５】
例えば、浴室空調装置１００の制御部６１は、操作部６２における操作でスイング暖房運転モードが選択されると、ダンパ制御信号Ｓ２７を出力して、吹出口ユニット３のダンパモータ２７を駆動し、循環ダンパ２６を閉じて循環位置にする。また、制御部６１はダンパ制御信号Ｓ５６をダンパモータ５６’に出力してダンパ開閉制御を実行する。電動ダンパ５６では、ダンパモータ５６’がダンパ制御信号Ｓ５６を入力してダンパを開動作する。
【０１２６】
そして、制御部６１はモータ制御信号Ｓ９を出力して送風装置本体２のファンモータ９を駆動し、ファン１０を「設定１：強運転」で回転させると共に、ヒータ制御信号Ｓ２５を出力して吹出口ユニット３のヒータ２５を駆動する。
【０１２７】
このとき、送風装置本体２では、ファン１０が回転すると、ファンケース１１のファン吸込口１１ａから空気IIが吸い込まれる。送風装置本体２に吸い込まれた浴室５１内の空気IIは、ファンケース１１のファン吹出口１１ｂから吹出口ユニット３へ吹き出される。吹出口ユニット３では、ユニット内に送り込まれた空気IIは、循環風路２８ａを通って吹出グリル７から脱衣所５２内に吹き出される。
【０１２８】
この吹出グリル７の手前の循環吹出口２４に配置されているヒータ２５が通電されて加熱されるので、循環吹出口２４を通る空気IIが温められて吹出グリル７から吹き出すようになされる。また、吹出グリル７には、電動ルーバ部４７が配置されているので、制御部６１はこれを動作させる。例えば、制御部６１はルーバ制御信号Ｓ４９をルーバモータ４９に出力してルーバモータ制御を実行する。ルーバモータ４９は、ルーバ制御信号Ｓ４９を入力して整流板４８を駆動する。ルーバモータ４９の回転力によって、軸４８ａを支点にして整流板４８を左右に振るようなされる。なお、以下の運転動作モードで、初期設定時にもこの動作が入る。
【０１２９】
これにより、スイング暖房運転モードでは、浴室５１及び脱衣所５２の内部の空気IIを循環させながら、浴室５１及び脱衣所５２に交互に温風Ｉを吹き出して、浴室５１及び脱衣所５２を同時に暖房することができ、浴室５１及び脱衣所５２の温度を上げることができる。浴室５１及び脱衣所５２に吹き出された温風Ｉは、ファン１０が回転して吸込口ユニット４ａ、４ｂから吸い込まれる。ここに吸い込まれた浴室５１及び脱衣所５２内の空気IIが、吹出ダクト５を介して吹出口ユニット３に送り込まれて循環する。
【０１３０】
［浴室暖房運転モード］
この例でも、図１７Ｂに示す浴室５１の出入口のドア（戸）５８は開放される。これを前提にして、図１６に示した操作部６２によって浴室暖房運転モードが設定されると、送風装置本体２は、吸込口ユニット４ａを通じて浴室５１の空気IIを吸い込むと共に、吸込口ユニット４ｂを通じて脱衣所５２の空気IIを吸い込んで、吹出口ユニット３のスイング機能を利用して浴室５１の方向へ温風Ｉを吹き出すようになされる。
【０１３１】
例えば、浴室空調装置１００の制御部６１は、操作部６２における操作で浴室暖房運転モードが選択されると、ダンパ制御信号Ｓ２７を出力して、吹出口ユニット３のダンパモータ２７を駆動し、循環ダンパ２６を閉じて循環位置にする。また、電動ルーバ部４７では、浴室暖房運転モードの設定後、制御部６１がルーバ制御信号Ｓ４９をルーバモータ４９に出力してルーバモータ制御を実行する。ルーバモータ４９は、ルーバ制御信号Ｓ４９を入力して整流板４８を駆動する。この例では、ルーバモータ４９が、図１２Ａに示した矢印ｂ方向に回転駆動されるので、軸４８ａを支点に矢印ｂ方向に整流板４８が回転する。この結果、整流板４８は、図１に示した浴室５１の方向に姿勢を変えるようになされる。
【０１３２】
そして、モータ制御信号Ｓ９を出力して送風装置本体２のファンモータ９を駆動し、ファン１０を「設定１：強運転」で回転させると共に、ヒータ制御信号Ｓ２５を出力して吹出口ユニット３のヒータ２５を駆動する。このとき、送風装置本体２では、ファン１０が回転すると、吸込口ユニット４ａ，４ｂからファンケース１１のファン吸込口１１ａへ空気IIが吸い込まれる。送風装置本体２に吸い込まれた浴室５１内及び脱衣所５２内の空気IIは、ファンケース１１のファン吹出口１１ｂから吹出口ユニット３へ吹き出される。吹出口ユニット３では、ユニット内に送り込まれた空気IIは、循環風路２８ａを通って吹出グリル７から浴室５１の方向へ吹き出される。
【０１３３】
これにより、浴室暖房運転モードでは、浴室５１及び脱衣所５２の内部の空気IIを循環させながら、浴室５１の方向へ温風Ｉを吹き出して、浴室５１を重点的に暖房することができ、浴室５１の温度を上げることができる。浴室５１に吹き出された温風Ｉは、ファン１０が回転して吸込口ユニット４ａ、４ｂから吸い込まれる。ここに吸い込まれた浴室５１内の空気IIが、吹出ダクト５を介して吹出口ユニット３に送り込まれて循環する。
【０１３４】
［脱衣所暖房運転モード］
この例では、図１７Ｃに示す浴室５１の出入口のドア（戸）５８が閉じられる。これを前提にして、図１６に示した操作部６２によって脱衣所暖房運転モードが設定されると、送風装置本体２は、吸込口ユニット４ｂを通じて脱衣所５２の空気IIを吸い込んで、吹出口ユニット３のスイング機能を利用して脱衣所（メインルーム）５２の方向へ温風Ｉを吹き出すようになされる。
【０１３５】
例えば、浴室空調装置１００の制御部６１は、操作部６２における操作で脱衣所暖房運転モードが選択されると、ダンパ制御信号Ｓ２７を出力して、吹出口ユニット３のダンパモータ２７を駆動し、循環ダンパ２６を閉じて循環位置にする。また、電動ルーバ部４７では、脱衣所暖房運転モードの設定後、制御部６１がルーバ制御信号Ｓ４９をルーバモータ４９に出力してルーバモータ制御を実行する。ルーバモータ４９は、ルーバ制御信号Ｓ４９を入力して整流板４８を駆動する。この例では、ルーバモータ４９が、図１２Ａに示した矢印ａ方向に回転駆動されるので、軸４８ａを支点に矢印ａ方向に整流板４８が回転する。この結果、整流板４８は、図１に示した脱衣所５２の方向に姿勢を変えるようになされる。
【０１３６】
そして、モータ制御信号Ｓ９を出力して送風装置本体２のファンモータ９を駆動し、ファン１０を「設定１：強運転」で回転させると共に、ヒータ制御信号Ｓ２５を出力して吹出口ユニット３のヒータ２５を駆動する。このとき、送風装置本体２では、ファン１０が回転すると、吸込口ユニット４ｂからファンケース１１のファン吸込口１１ａへ空気IIが吸い込まれる。送風装置本体２に吸い込まれた脱衣所５２内の空気IIは、ファンケース１１のファン吹出口１１ｂから吹出口ユニット３へ吹き出される。吹出口ユニット３では、ユニット内に送り込まれた空気IIが、循環風路２８ａを通って吹出グリル７から脱衣所５２へ吹き出される。
【０１３７】
これにより、脱衣所暖房運転モードでは、脱衣所５２の内部の空気IIを循環させながら、脱衣所５２へ温風Ｉを吹き出して、脱衣所５２を専ら暖房することができ、脱衣所５２の温度を上げることができる。脱衣所５２に吹き出された温風Ｉは、ファン１０が回転して吸込口ユニット４ｂから吸い込まれる。ここに吸い込まれた脱衣所５２内の空気IIが、吹出ダクト５を介して吹出口ユニット３に送り込まれて循環する。
【０１３８】
＜涼風運転モード＞
［スイング涼風運転モード］
図１８Ａ〜Ｃは、涼風運転モード時の動作例を示す概念図である。涼風運転モードは更に、スイング、浴室及び脱衣所の３つの場合に分かれている。表２は３つの涼風運転モードをまとめたものである。
【０１３９】
【表２】
0004760291.tif 000003
涼風運転モードでは、吹出口ユニット３において循環ダンパ２６が循環位置と換気位置の中間にあるにあるので、吹出口ケース１７内には、循環風路２８ａと排気風路２８ｂの双方が形成されている。電動ダンパ５６は閉じた状態となされ、吸込口ユニット４ａを通じての浴室５１内の空気IIを吸い込みが停止される。
【０１４０】
［スイング涼風運転モード］
この例では、図１８Ａに示す浴室５１の出入口のドア（戸）５８は開放される。これを前提にして、図１６に示した操作部６２によってスイング涼風運転モードが設定されると、送風装置本体２は、吸込口ユニット４ｂを通じて脱衣所５２の空気IIを吸い込んで、吹出口ユニット３のスイング機能を利用して浴室５１及び脱衣所５２に交互に涼風IIIを吹き出すようになされる。
【０１４１】
例えば、浴室空調装置１００の制御部６１は、操作部６２における操作でスイング涼風運転モードが選択されると、ダンパ制御信号Ｓ２７を出力して、吹出口ユニット３のダンパモータ２７を駆動し、循環ダンパ２６を閉じて循環位置にする。また、制御部６１はダンパ制御信号Ｓ５６を電動ダンパ５６のダンパモータ５６’に出力してダンパ開閉制御を実行する。電動ダンパ５６では、ダンパモータ５６’がダンパ制御信号Ｓ５６を入力してダンパを閉動作する。
【０１４２】
そして、モータ制御信号Ｓ９を出力して送風装置本体２のファンモータ９を駆動し、ファン１０を「設定１：強運転」で回転させる。このモードでは、吹出口ユニット３のヒータ２５は非駆動である。このとき、送風装置本体２では、ファン１０が回転すると、ファンケース１１のファン吸込口１１ａから空気IIが吸い込まれる。送風装置本体２に吸い込まれた脱衣所５２内の空気IIは、ファンケース１１のファン吹出口１１ｂから吹出口ユニット３へ吹き出される。吹出口ユニット３では、ユニット内に送り込まれた空気IIは、循環風路２８ａを通って吹出グリル７から浴室５１及び脱衣所５２内に交互に吹き出される。
【０１４３】
例えば、吹出グリル７では、制御部６１から入力した、ルーバ制御信号Ｓ４９に基づいてルーバモータ４９が動作する。ルーバモータ４９は、ルーバ制御信号Ｓ４９を入力して整流板４８を駆動する。ルーバモータ４９の回転力によって、軸４８ａを支点にして整流板４８を左右に振るようなされる。
【０１４４】
これにより、スイング涼風運転モードでは、浴室５１及び脱衣所５２の内部の空気IIを循環させながら、浴室５１及び脱衣所５２に交互に涼風IIIを吹き出して、浴室５１及び脱衣所５２を同時に涼風を吹き出すことができ、浴室５１及び脱衣所５２の現在の温度を維持することができる。浴室５１及び脱衣所５２に吹き出された涼風IIIは、ファン１０が回転して吸込口ユニット４ｂから吸い込まれる。ここに吸い込まれた脱衣所５２内の空気IIが、吹出ダクト５を介して吹出口ユニット３に送り込まれて循環する。
【０１４５】
［浴室涼風運転モード］
この例でも、図１８Ｂに示す浴室５１の出入口のドア（戸）５８は開放される。これを前提にして、図１６に示した操作部６２によって浴室涼風運転モードが設定されると、送風装置本体２は、吸込口ユニット４ｂを通じて脱衣所５２の空気IIを吸い込んで、吹出口ユニット３のスイング機能を利用して浴室５１の方向へ涼風IIIを吹き出すようになされる。
【０１４６】
例えば、浴室空調装置１００の制御部６１は、操作部６２における操作で浴室涼風運転モードが選択されると、ダンパ制御信号Ｓ２７を出力して、吹出口ユニット３のダンパモータ２７を駆動し、循環ダンパ２６を閉じて循環位置にする。また、電動ルーバ部４７では、浴室涼風運転モードの設定後、制御部６１がルーバ制御信号Ｓ４９をルーバモータ４９に出力してルーバモータ制御を実行する。ルーバモータ４９は、ルーバ制御信号Ｓ４９を入力して整流板４８を駆動する。この例では、ルーバモータ４９が、図１２Ａに示した矢印ｂ方向に回転駆動されるので、軸４８ａを支点に矢印ｂ方向に整流板４８が回転する。この結果、整流板４８は、図１に示した浴室５１の方向に姿勢を変えるようになされる。
【０１４７】
そして、モータ制御信号Ｓ９を出力して送風装置本体２のファンモータ９を駆動し、ファン１０を「設定１：強運転」で回転させる。この例では、吹出口ユニット３のヒータ２５は非駆動である。このとき、送風装置本体２では、ファン１０が回転すると、吸込口ユニット４ｂからファンケース１１のファン吸込口１１ａへ空気IIが吸い込まれる。送風装置本体２に吸い込まれた脱衣所５２内の空気IIは、ファンケース１１のファン吹出口１１ｂから吹出口ユニット３へ吹き出される。吹出口ユニット３では、ユニット内に送り込まれた空気IIは、循環風路２８ａを通って吹出グリル７から浴室５１の方向へ吹き出される。
【０１４８】
これにより、浴室涼風運転モードでは、浴室５１及び脱衣所５２の内部の空気IIを循環させながら、浴室５１の方向へ涼風IIIを吹き出して、浴室５１を重点的に涼風環境とすることができ、浴室５１の現在の温度を脱衣所５２の温度に維持することができる。浴室５１に吹き出された涼風IIIは、ファン１０が回転して吸込口ユニット４ｂから吸い込まれ、ここに吸い込まれた脱衣所５２内の空気IIが、吹出ダクト５を介して吹出口ユニット３に送り込まれて循環する。
【０１４９】
［脱衣所涼風運転モード］
この例では、図１８Ｃに示す浴室５１の出入口のドア（戸）５８が閉じられる。これを前提にして、図１６に示した操作部６２によって脱衣所涼風運転モードが設定されると、送風装置本体２は、吸込口ユニット４ｂを通じて脱衣所５２の空気IIを吸い込んで、吹出口ユニット３のスイング機能を利用して脱衣所（メインルーム）５２の方向へ涼風IIIを吹き出すようになされる。
【０１５０】
例えば、浴室空調装置１００の制御部６１は、操作部６２における操作で脱衣所涼風運転モードが選択されると、ダンパ制御信号Ｓ２７を出力して、吹出口ユニット３のダンパモータ２７を駆動し、循環ダンパ２６を閉じて循環位置にする。また、電動ルーバ部４７では、脱衣所涼風運転モードの設定後、制御部６１がルーバ制御信号Ｓ４９をルーバモータ４９に出力してルーバモータ制御を実行する。ルーバモータ４９は、ルーバ制御信号Ｓ４９を入力して整流板４８を駆動する。この例では、ルーバモータ４９が、図１２Ａに示した矢印ａ方向に回転駆動されるので、軸４８ａを支点に矢印ａ方向に整流板４８が回転する。この結果、整流板４８は、図１に示した脱衣所５２の方向に姿勢を変えるようになされる。
【０１５１】
そして、モータ制御信号Ｓ９を出力して送風装置本体２のファンモータ９を駆動し、ファン１０を「設定１：強運転」で回転させる。吹出口ユニット３のヒータ２５は非駆動である。このとき、送風装置本体２では、ファン１０が回転すると、吸込口ユニット４ｂからファンケース１１のファン吸込口１１ａへ空気IIが吸い込まれる。送風装置本体２に吸い込まれた脱衣所５２内の空気IIは、ファンケース１１のファン吹出口１１ｂから吹出口ユニット３へ吹き出される。吹出口ユニット３では、ユニット内に送り込まれた空気IIが、循環風路２８ａを通って吹出グリル７から脱衣所５２へ吹き出される。
【０１５２】
これにより、脱衣所涼風運転モードでは、脱衣所５２の内部の空気IIを循環させながら、脱衣所５２へ涼風IIIを吹き出して、脱衣所５２を専ら涼風環境とすることができ、脱衣所５２の温度現在を維持することができる。脱衣所５２に吹き出された涼風IIIは、ファン１０が回転して吸込口ユニット４ｂから吸い込んだ脱衣所５２内の空気IIが、吹出ダクト５を介して吹出口ユニット３に送り込まれて循環する。また、吹出口ユニット３に送り込まれた空気IIの一部は、排気風路２８ｂを通り排気ダクト２２から屋外へ排出される。更に、浴室５１内の空気IIが屋外に排出されることで、図示しない浴室ドア等に設けられた空気取入口から、脱衣所５２内へ空気IIが吸い込まれる。
【０１５３】
＜乾燥運転モード＞
乾燥運転モードは更に、スイング、浴室及び脱衣所の３つの場合に分かれている。表３は３つの乾燥運転モードをまとめたものである。この例では、脱衣所乾燥運転モードについて説明する。
【０１５４】
【表３】
0004760291.tif 000004
乾燥運転モードでは、吹出口ユニット３において循環ダンパ２６が換気位置と循環位置の中間にあるので、吹出口ケース１７内には、循環風路２８ａと排気風路２８ｂの双方が形成されている。電動ダンパ５６は閉じた状態となされ、吸込口ユニット４ａを通じての浴室５１内の空気IIを吸い込みが停止される。
【０１５５】
［脱衣所乾燥運転モード］
図１９は、脱衣所乾燥運転モード時の動作例を示す概念図である。この例では、図１９に示す浴室５１の出入口のドア（戸）５８が閉じられる。これを前提にして、図１６に示した操作部６２によって脱衣所乾燥運転モードが設定されると、送風装置本体２は、吸込口ユニット４ｂを通じて脱衣所５２の空気IIを吸い込んで、吹出口ユニット３のスイング機能を利用して脱衣所５２の方向へ温風Ｉを吹き出すようになされる。
【０１５６】
例えば、浴室空調装置１００の制御部６１は、操作部６２における操作で脱衣所乾燥運転モードが選択されると、ダンパ制御信号Ｓ２７を出力して、吹出口ユニット３のダンパモータ２７を駆動し、循環ダンパ２６を半閉じ（半開し）て換気位置と循環位置の中間にする。また、電動ルーバ部４７では、脱衣所乾燥運転モードの設定後、制御部６１がルーバ制御信号Ｓ４９をルーバモータ４９に出力してルーバモータ制御を実行する。ルーバモータ４９は、ルーバ制御信号Ｓ４９を入力して整流板４８を駆動する。この例では、ルーバモータ４９が、図１２Ａに示した矢印ａ方向に回転駆動されるので、軸４８ａを支点に矢印ａ方向に整流板４８が回転する。この結果、整流板４８は、図１に示した脱衣所５２の方向に姿勢を変えるようになされる。
【０１５７】
そして、モータ制御信号Ｓ９を出力して送風装置本体２のファンモータ９を駆動し、ファン１０を回転させると共に、ヒータ制御信号Ｓ２５を出力して吹出口ユニット３のヒータ２５を駆動する。このとき、送風装置本体２では、ファン１０が「設定１：強運転」で回転すると、吸込口ユニット４ｂからファンケース１１のファン吸込口１１ａへ空気IIが吸い込まれる。送風装置本体２に吸い込まれた脱衣所５２内の空気IIは、ファンケース１１のファン吹出口１１ｂから吹出口ユニット３へ吹き出される。吹出口ユニット３では、ユニット内に送り込まれた空気IIが、循環風路２８ａを通って吹出グリル７から脱衣所５２へ吹き出される。
【０１５８】
これにより、脱衣所乾燥運転モードでは、脱衣所５２の内部の空気IIを循環させながら、脱衣所５２へ温風Ｉを吹き出して、脱衣所５２を専ら乾燥室のようにすることができ、脱衣所５２の温度を上げることができる。脱衣所５２に吹き出された温風Ｉは、ファン１０が回転して吸込口ユニット４ｂから吸い込まれる。ここに吸い込まれた脱衣所５２内の空気IIが、吹出ダクト５を介して吹出口ユニット３に送り込まれて循環する。
【０１５９】
また、吹出口ユニット３に送り込まれた空気IIの一部は、排気風路２８ｂを通り排気ダクト２２から屋外へ排出される。更に、脱衣所５２内の空気IIが屋外に排出されることで、図示しない脱衣所ドア等に設けられた空気取入口（ガラリ）から、脱衣所内へ空気IIが吸い込まれる。これにより、乾燥運転モードでは、脱衣所５２内に温風Ｉを吹き出して、図示しないランドリパイプに掛けられた洗濯物を乾燥させることができる。また、脱衣所５２内の空気IIの一部は屋外に排気されて換気が行われるので、湿気等を排出して、洗濯物の乾燥を促進することができる。
【０１６０】
＜換気運転モード＞
図２０Ａ及びＢは、換気運転モード時の動作例を示す概念図である。換気運転モードは、通常の換気、２４時間換気及びクリーン換気の３つ場合に分かれている。クリーン換気は、更に、スイング、浴室及び脱衣所の３つに分かれている。表４は５つの換気運転モードをまとめたものである。この例では、通常の換気、２４時間換気及びクリーン換気運転モードについて説明をする。
【０１６１】
【表４】
0004760291.tif 000005
換気運転モードでは、吹出口ユニット３において循環ダンパ２６が換気位置にあるので、吹出口ケース１７内には、排気風路２８ｂが形成されている。電動ダンパ５６は開いた状態となされ、吸込口ユニット４ａを通じての浴室５１内の空気IIを吸い込みが行われる。
【０１６２】
＜通常の換気モード＞
この例では、図２０Ａに示す浴室５１の出入口のドア（戸）５８が開けられる。これを前提にして、図１６に示した操作部６２によって、換気運転モードが設定されたとき、送風装置本体２は、吸込口ユニット４ａを通じて浴室５１の空気IIを吸い込むと共に、吸込口ユニット４ｂを通じて脱衣所５２の空気IIを吸い込んで、吹出口ユニット３及び換気ダクト２２を通じて外部に排気する。
【０１６３】
例えば、浴室空調装置１００の制御部６１は、操作部６２における操作で通常の換気運転モードが選択されると、ダンパ制御信号Ｓ２７を出力して、吹出口ユニット３のダンパモータ２７を駆動して、循環ダンパ２６を換気位置にする。制御部６１は送風装置本体２のファンモータ１０にモータ制御信号Ｓ９を出力してファン制御を実行する。ファンモータ９は、モータ制御信号Ｓ９を入力してファン１０を駆動する。
【０１６４】
そして、送風装置本体２のファンモータ９を駆動してファン１０を「設定２：中運転」で回転させる。換気運転モードでは、吹出口ユニット３のヒータ２５は駆動しない。送風装置本体２において、ファン１０が回転すると、ファンケース１１のファン吸込口１１ａから空気IIが吸い込まれる。上述したように、送風装置本体２は、ファン吸込口１１ａが吸込ダクト６を介して吸込口ユニット４ａ及び脱衣所５２の吸込口ユニット４ｂと連通しているので、吸込口ユニット４ａの循環・換気吸込グリル８ａから、浴室５１内の空気IIが吸込ダクト６を介して送風装置本体２に吸い込まれ、吸込口ユニット４ｂの循環・換気吸込グリル８ｂから、脱衣所５２内の空気IIが吸込ダクト６を介して送風装置本体２に吸い込まれる。
【０１６５】
送風装置本体２に吸い込まれた浴室５１及び脱衣所５２内の空気IIは、ファンケース１１のファン吹出口１１ｂから吹き出す。上述したように、送風装置本体２は、ファン吹出口１１ｂが吹出ダクト５を介して吹出口ユニット３と連通しているので、吸込口ユニット４から吸い込んだ浴室５１及び脱衣所５２内の空気IIが、吹出ダクト５を介して吹出口ユニット３に送り込まれる。
【０１６６】
換気運転モードでは、吹出口ユニット３において循環ダンパ２６が換気位置にあるので、吹出口ケース１７内には、吹出ダクト５と接続された循環・換気吸込口２０から換気排気口２１へと連通した排気風路２８ｂが形成されている。
【０１６７】
これにより、吹出口ユニット３に送り込まれた空気IIは、排気風路２８ｂを通り排気ダクト２２から屋外へ排出される。また、浴室５１内の空気IIが屋外に排出されることで、図示しない脱衣所５２のドア等に設けられた空気取入口から、脱衣所５２の空気IIが吸い込まれる。これにより、換気運転モードでは、浴室５１内の湯気や、脱衣所５２の湿気を排出して結露等を抑制し、カビの発生を抑えることができる。
【０１６８】
＜２４時間換気モード＞
この例でも、図２０Ａに示したように浴室５１の出入口のドア（戸）５８が開けられる。これを前提にして、図１６に示した操作部６２によって、２４時間換気運転モードが設定されたとき、送風装置本体２は、吸込口ユニット４ａを通じて浴室５１の空気IIを吸い込むと共に、吸込口ユニット４ｂを通じて脱衣所５２の空気IIを吸い込んで、吹出口ユニット３及び換気ダクト２２を通じて外部に排気する。
【０１６９】
通常の換気運転モードと異なるところは、送風装置本体２のファンモータ９を「設定３：弱運転」で駆動してファン１０を回転させる点である。このようにすると、終日換気運転を実行できるようになる。その他は、通常の換気運転モードと同様なのでその説明を省略する。
【０１７０】
＜クリーン換気運転モード＞
この例では、図２０Ｂに示す浴室５１の出入口のドア（戸）５８が開けられる。これを前提にして、図１６に示した操作部６２によって、クリーン換気運転モードが設定されたとき、送風装置本体２は、吸込口ユニット４ａを通じて浴室５１の空気IIを吸い込むと共に、吸込口ユニット４ｂを通じて脱衣所５２の空気IIを吸い込んで、吹出口ユニット３及び換気ダクト２２を通じてその一部を外部に排気する。電動ルーバ部４７は、クリーン換気運転モードが設定されると、ルーバモータ４９の回転力によって、軸４８ａを支点にして整流板４８を左右に振るようなされる。吹出口ユニット３は、スイング機能及びイオン発生機能を利用して浴室５１及び脱衣所５２に除菌イオンを含む空気IVを吹き出すようになされる。
【０１７１】
例えば、クリーン換気運転モードでは、制御部６１は操作部６２における操作でクリーン換気運転モードが選択されると、ダンパ制御信号Ｓ２７を出力して、吹出口ユニット３のダンパモータ２７を駆動し、循環ダンパ２６を半開状態にして、ダンパを換気位置と循環位置の中間にする。また、制御部６１はダンパ制御信号Ｓ５６をダンパモータ５６’に出力してダンパ開閉制御を実行する。電動ダンパ５６では、ダンパモータ５６’がダンパ制御信号Ｓ５６を入力してダンパを開動作する。
【０１７２】
そして、モータ制御信号Ｓ９を出力して送風装置本体２のファンモータ９を駆動し、ファン１０を「設定１：強運転」で回転させると共に、イオン発生器１６を駆動する。このとき、制御部６１はイオン発生器１６にイオン制御信号Ｓ１６を出力してイオン発生制御を実行する。イオン発生器１６は、イオン制御信号Ｓ１６を入力して正イオンと負イオンの双方を発生する。クリーン換気運転モードでも、吹出口ユニット３のヒータ２５は駆動しない。
【０１７３】
送風装置本体２において、ファン１０が回転すると、電動ダンパ５６が開状態となっているので、吸込口ユニット４ａの循環・換気吸込グリル８ａから、浴室５１内の空気IIが吸込ダクト６を介して送風装置本体２に吸い込まれる。また、吸込口ユニット４ｂの循環・換気吸込グリル８ｂから、脱衣所５２内の空気IIが吸込ダクト６を介して送風装置本体２に吸い込まれる。送風装置本体２に吸い込まれた浴室５１及び脱衣所５２内の空気IIは、吹出ダクト５を介して吹出口ユニット３に送り込まれる。
【０１７４】
クリーン換気運転モードでは、吹出口ユニット３において循環ダンパ２６が循環換気位置にあるので、吹出口ケース１７内には、循環風路２８ａと排気風路２８ｂの双方が形成されている。これにより、吹出口ユニット３に送り込まれた空気IIの一部は、循環風路２８ａを通って吹出グリル７から浴室５１内に吹き出される。そして、吹出口ユニット３に送り込まれる空気IIには、イオン発生器１６で正イオンと負イオンの双方が供給されているので、浴室５１及び脱衣所５２に略同数の正イオンと負イオンを含む空気IVが吹き出される。
【０１７５】
また、吹出口ユニット３に送り込まれた空気IIの一部は、排気風路２８ｂを通り排気ダクト２２から屋外へ排出される。更に、浴室５１内の空気IIが屋外に排出されることで、図示しない脱衣所５２に設けられた空気取入口から、脱衣所５２に空気IIが吸い込まれる。
【０１７６】
これにより、クリーン換気運転モードでは、浴室５１及び脱衣所５２内の換気を行いながら、ファン部３２の運転と連動させて略同数の正イオンと負イオンを発生させ、略同数の正イオンと負イオンを含む空気IVを送風することで、循環する空気IIに含まれる浮遊細菌と、図１に示す浴室１０１の空気中の浮遊細菌の双方を除去して、カビの発生等を抑えることができる。しかも、衣類等が掛けられている脱衣所５２内に、正イオンと負イオンの双方を含む空気IVが吹き出されるので、衣類等におけるカビ菌の増殖を防ぐことができる。
【０１７７】
このように、第４の実施例としての浴室空調装置１００によれば、浴室５１又は脱衣所５２の天井裏面に設置された送風装置本体２は、浴室５１及び脱衣所５２の天井パネルの裏面で、吸込口ユニット４ａ及び４ｂと吸込ダクト６を介して接続されると共に、吹出口ユニット３と吹出ダクト５を介して接続されて空気IIを循環送風するようになされる。吸込口ユニット４ａ、４ｂは、暖房、涼風、乾燥、換気等の動作運転モードに基づいて吸気及び循環換気をし、吹出口ユニット３は温風Ｉ又は涼風IIIを吹き出すようになされる。
【０１７８】
従って、浴室５１及び脱衣所５２の二室を同時もしくは個別に暖房運転モードや、涼風運転モード、換気運転モード等を設定して空調運転できるようになる。これにより、浴室５１や脱衣所５２等のサニタリー空間を快適な環境に維持することができる。
【実施例５】
【０１７９】
図２１は、第５の実施例としての空調装置１０５の構成例を示す正面図である。  
図２１に示す空調装置１０５は、レール架台８０ａ’，８０ｂ’が第１の実施例に比べて長い場合である。これは浴室５１が広く、点検口５５ａから送風装置本体２の設置場所が遠く移動距離が長くなる場合に、第１の実施例よりも長いレール架台８０ａ’，８０ｂ’が使用される例である。
【０１８０】
この例では、図５に示したレール架台８０ａ，８０ｂよりも長い１組の固定部８１ａ，８１ｂ付きのレール架台８０ａ’，８０ｂ’を図示しない点検口５５ａを利用して天井裏面に搬入する。その後、天井裏面の所定の位置にこれらのレール架台８０ａ’，８０ｂ’を設置する。レール架台８０ａ’，８０ｂ’は、天井裏面に接合（接着）する方法が採られる。レールは長いままでなく、短いレールを継ぎ足すようにしてもよい。もちろん、これに限られることはなく、例えば、組立式の浴室５１の場合に、当該浴室を組み立てる前の段階で、天井パネル５２ａの裏面所定位置の躯体金属部位に所定の長さのレール架台８０ａ’，８０ｂ’を電気溶接で予め接合して固定しておいてもよい。その後の処理については、第１の実施例で説明しているので、その説明を省略する。
【０１８１】
このように、第５の実施例としての空調装置１０５の取付方法によれば、浴室５１や脱衣所５２等のサニタリー空間の天井パネル５２ａの所定の位置に、送風装置本体２、吹出口ユニット３、吸込口ユニット４ａ及び４ｂを取り付ける場合に、全ての空調部材を点検口５５ａや５５ｂ等から施工できるようになる。特に、点検口５５ａから送風装置本体２の設置場所が遠く移動距離が長くなる場合であっても、天井裏面での作業性の向上を図ることができる。
【０１８２】
従って、組立式の浴室５１等において、天井裏が狭く、浴室面積が広い場合に、当該浴室空調装置を容易に設置できるようになる。もちろん、浴室空調装置１００の取付（組立）順序は、第１〜第３，第５の実施例で説明した順序に限定されるものではない。
【０１８３】
なお、各実施例では送風装置本体２や吹出口ユニット３等の空調機器を隠蔽式にしたため、従来方式の空調システムに比べて、小さなグリルを天井面の任意の位置に設置できるので、目立たず、外観上及び景観上を損なわずに浴室空調装置（浴室換気乾燥暖房機）を設置することができた。このことで、組立式の浴室（ユニットバス）の形状や、サイズによらずに対応できることから、汎用性を高くすることができた。しかも、点検口５５ａから空調部材の仮止め等を全てできるようにしたことで、システム組立時の作業性が向上した。
【産業上の利用可能性】
【０１８４】
本発明は、浴室や、脱衣所、シャワー室、洗面所等のサニタリー空間に設置され、これら空間の換気、乾燥及び暖房等を行う浴室換気乾燥暖房機に適用して極めて好適である。
【図面の簡単な説明】
【０１８５】
【図１】本発明に係る各実施例としての浴室空調装置１００の構成例を示す上面図である。
【図２】図１に示した浴室空調装置１００の空調部材の配置例をＡＡ方向から見た側面図である。
【図３】第１の実施例としての送風装置本体２及びレール架台８０ａ，８０ｂの構成例を示す斜視図である。
【図４】（Ａ）及び（Ｂ）は、送風装置本体２の内部構成例及びその機能例を示す断面図である。
【図５】送風装置本体２の取付例（その１）を示す組立工程図である。
【図６】送風装置本体２の取付例（その２）を示す組立工程図である。
【図７】送風装置本体２の取付例（その３）を示す組立工程図である。
【図８】送風装置本体２の取付例（その４）を示す組立工程図である。
【図９】第２の実施例としての吹出口ユニット３の組立例を示す斜視図である。
【図１０】吹出口ユニット３の内部構成例（循環位置）を示す断面図である。
【図１１】吹出口ユニット３の内部構成例（排気位置）を示す断面図である。
【図１２】（Ａ）〜（Ｃ）は、吹出口ユニット３の電動ルーバ部４７の動作例を示す断面図である。
【図１３】第３の実施例としての吸込口ユニット４ａ等の組立例を示す斜視図である。
【図１４】（Ａ）及び（Ｂ）は、吸込口ユニット４ａ等の内部構成例を示す断面図である。
【図１５】浴室空調装置１００の取付例を示すフローチャートである。
【図１６】第４の実施例としての浴室空調装置１００の制御系の一例を示す機能ブロック図である。
【図１７】（Ａ）〜（Ｃ）は、浴室空調装置１００の暖房運転モード時の動作例を示す概念図である。
【図１８】（Ａ）〜（Ｃ）は、涼風運転モード時の動作例を示す概念図である。
【図１９】脱衣所乾燥運転モード時の動作例を示す概念図である。
【図２０】（Ａ）及び（Ｂ）は、換気運転モード時の動作例を示す概念図である。
【図２１】第５の実施例としての空調装置１０５の構成例を示す正面図である。
【符号の説明】
【０１８６】
２・・・送風装置本体（送風手段）、３・・・吹出口ユニット（吹出部本体）、４ａ，４ｂ・・・吸込口ユニット（第１，第２の吸込部本体部）、５・・・吹出ダクト、６・・・吸込ダクト、７・・・吹出グリル、８ａ，８ｂ・・・循環・換気吸込グリル、９・・・ファンモータ、１０・・・ファン、１１・・・ファンケース、１１ａ・・・ファン吸込口、１１ｂ・・・ファン吹出口、１２・・・本体ケース、１３・・・吹出ダクト取付部、１４・・・吸込風路、１５・・・吸込ダクト取付部、１６・・・イオン発生器、１７・・・吹出口ケース、１８・・・吹出ダクト取付部、１９・・・吹出グリル取付部、２０・・・循環・換気吸込口、２１・・・換気排気口、２２・・・排気ダクト、２３・・・排気ダクト取付部、２４・・・循環吹出口、２５・・・ヒータ、２６・・・循環ダンパ、２７・・・ダンパモータ、２８ａ・・・循環風路、２８ｂ・・・排気風路、２９・・・チャンバー、３０・・・吸込グリル取付部、４６・・・人感センサ、４７・・・電動ルーバ部、４８・・・整流板、４８ａ・・・軸、４９・・・ルーバモータ、５０・・・リンク機構、５０ａ・・・リンクレバー、５０ｂ・・・リンクロッド、５１・・・浴室、５２・・・脱衣所、５２ａ，５２ｂ・・・天井パネル、５４ａ，５４ｂ・・・吸込口、５４ｃ・・・吹出口、５６・・・電動ダンパ、６１・・・制御部、６２・・・操作部、７１ａ〜７１ｄ・・・本体脚部、８０ａ，８０ｂ，８０ａ’，８０ｂ’・・・レール架台、８１ａ〜８１ｄ・・・固定部、８２ａ，８２ｂ・・・ガイドレール、８３ａ，８３ｂ・・・本体基板、１００・・・浴室空調装置
【図１】
0004760291.tif 000006
【図２】
0004760291.tif 000007
【図３】
0004760291.tif 000008
【図４】
0004760291.tif 000009
【図５】
0004760291.tif 000010
【図６】
0004760291.tif 000011
【図７】
0004760291.tif 000012
【図８】
0004760291.tif 000013
【図９】
0004760291.tif 000014
【図１０】
0004760291.tif 000015
【図１１】
0004760291.tif 000016
【図１２】
0004760291.tif 000017
【図１３】
0004760291.tif 000018
【図１４】
0004760291.tif 000019
【図１５】
0004760291.tif 000020
【図１６】
0004760291.tif 000021
【図１７】
0004760291.tif 000022
【図１８】
0004760291.tif 000023
【図１９】
0004760291.tif 000024
【図２０】
0004760291.tif 000025
【図２１】
0004760291.tif 000026